(57)【特許請求の範囲】
【請求項１】
立体映像認識システム用のアクティブシャッターメガネであって、
前記アクティブシャッターメガネは、右眼用シャッター部及び左眼用シャッター部を有し、
前記右眼用シャッター部及び左眼用シャッター部はそれぞれ、液晶セルを有し、
当該メガネ装着時、前記右眼用シャッター部及び左眼用シャッター部の視野角はそれぞれ、上側及び下側よりも左側及び右側の方が広く、
前記右眼用シャッター部及び左眼用シャッター部の視野角特性はそれぞれ、９０°方位及び２７０°方位を通る軸に対して、対称である
ことを特徴とするアクティブシャッターメガネ。
【請求項２】
当該メガネ装着時、前記右眼用シャッター部及び左眼用シャッター部の視野角はそれぞれ、上側よりも下側の方が広いことを特徴とする請求項１記載のアクティブシャッターメガネ。
【請求項３】
当該メガネ装着時、前記右眼用シャッター部及び左眼用シャッター部の視野角はそれぞれ、９０°方位よりも２７０°方位の方が広いことを特徴とする請求項２記載のアクティブシャッターメガネ。
【請求項４】
前記右眼用シャッター部及び左眼用シャッター部はそれぞれ、λ／４板を備え、
前記λ／４板は、前記液晶セルよりも外側に設けられることを特徴とする請求項１〜３のいずれかに記載のアクティブシャッターメガネ。
【請求項５】
前記右眼用シャッター部及び左眼用シャッター部の遮光状態における光漏れを、所定の極角で測定したとき、
０°方位及び１８０°方位における光漏れの量は、４以上の方位における光漏れの量の平均よりも小さいことを特徴とする請求項１〜４のいずれかに記載のアクティブシャッターメガネ。
ただし、前記４以上の方位は、全方位内で均等に配置される。
【請求項６】
２７０°方位における光漏れの量は、９０°方位における光漏れの量よりも小さいことを特徴とする請求項５記載のアクティブシャッターメガネ。
【請求項７】
前記右眼用シャッター部及び左眼用シャッター部の遮光状態における光漏れを、８以上の方位、かつ所定の極角で測定したとき、
−４５°〜４５°方位及び／又は１３５°〜２２５°方位における光漏れの量の平均は、４５°〜１３５°方位及び２２５°〜３１５°方位における光漏れの量の平均よりも小さいことを特徴とする請求項１〜６のいずれかに記載のアクティブシャッターメガネ。
ただし、前記８以上の方位は、全方位内で均等に配置される。
【請求項８】
２２５°〜３１５°方位における光漏れの量の平均は、４５°〜１３５°方位における光漏れの量の平均よりも小さいことを特徴とする請求項７記載のアクティブシャッターメガネ。
【請求項９】
前記右眼用シャッター部及び左眼用シャッター部のコントラスト比を、所定の極角で測定したとき、
０°方位及び１８０°方位におけるコントラスト比は、４以上の方位におけるコントラスト比の平均よりも高いことを特徴とする請求項１〜８のいずれかに記載のアクティブシャッターメガネ。
ただし、前記４以上の方位は、全方位内で均等に配置される。
【請求項１０】
２７０°方位におけるコントラスト比は、９０°方位におけるコントラスト比よりも高いことを特徴とする請求項９記載のアクティブシャッターメガネ。
【請求項１１】
前記右眼用シャッター部及び左眼用シャッター部のコントラスト比を、８以上の方位、かつ所定の極角で測定したとき、
−４５°〜４５°方位及び／又は１３５°〜２２５°方位におけるコントラスト比の平均は、４５°〜１３５°方位及び２２５°〜３１５°方位におけるコントラスト比の平均よりも高いことを特徴とする請求項１〜１０のいずれかに記載のアクティブシャッターメガネ。
ただし、前記８以上の方位は、全方位内で均等に配置される。
【請求項１２】
２２５°〜３１５°方位におけるコントラスト比の平均は、４５°〜１３５°方位におけるコントラスト比の平均よりも高いことを特徴とする請求項１１記載のアクティブシャッターメガネ。
【請求項１３】
前記右眼用シャッター部及び左眼用シャッター部を駆動した状態における色味変化を、所定の極角で測定したとき、
０°方位及び１８０°方位における色味変化は、４以上の方位における色味変化の平均よりも小さいことを特徴とする請求項１〜１２のいずれかに記載のアクティブシャッターメガネ。
ただし、前記４以上の方位は、全方位内で均等に配置される。
【請求項１４】
２７０°方位における色味変化は、９０°方位における色味変化よりも小さいことを特徴とする請求項１３記載のアクティブシャッターメガネ。
【請求項１５】
前記右眼用シャッター部及び左眼用シャッター部を駆動した状態における色味変化を、８以上の方位、かつ所定の極角で測定したとき、
−４５°〜４５°方位及び／又は１３５°〜２２５°方位における色味変化の平均は、４５°〜１３５°方位及び２２５°〜３１５°方位における色味変化の平均よりも小さいことを特徴とする請求項１〜１４のいずれかに記載のアクティブシャッターメガネ。
ただし、前記８以上の方位は、全方位内で均等に配置される。
【請求項１６】
２２５°〜３１５°方位における色味変化の平均は、４５°〜１３５°方位における色味変化の平均よりも小さいことを特徴とする請求項１５記載のアクティブシャッターメガネ。
【請求項１７】
前記液晶セルは、ＴＮ又はＳＴＮ型であり、
電圧無印加時、前記液晶セルの厚み方向における中央に位置する液晶分子は、９０°方位及び２７０°方位を通る方向に沿って配向していることを特徴とする請求項１〜１６のいずれかに記載のアクティブシャッターメガネ。
【請求項１８】
請求項１〜１７のいずれかに記載のアクティブシャッターメガネと、映像表示装置とを含んで構成されることを特徴とする立体映像認識システム。
【請求項１９】
前記映像表示装置は、液晶表示装置であり、液晶セルと、前記液晶セルよりも外側に設けられたλ／４板とを備えることを特徴とする請求項１８記載の立体映像認識システム。
【発明の詳細な説明】
【技術分野】
【０００１】
本発明は、アクティブシャッターメガネ及び立体映像認識システムに関する。より詳しくは、横長の画面を有する映像表示装置を含む立体映像認識システムに好適なアクティブシャッターメガネ及び立体映像認識システムに関するものである。
【背景技術】
【０００２】
メガネを使用する立体映像認識システムとしては、アナグリフ方式、パッシブ方式、アクティブ方式等が知られている。アナグリフ方式は、表示品位が非常に悪く、いわゆるクロストークが発生してしまう。パッシブ方式及びアクティブ方式はいずれも偏光メガネを利用する。【０００３】
パッシブ方式は、偏光メガネ自体を軽量かつ安価に製造することができるが、左眼用画像及び右眼用画像を生成するために、別々の画素を用いる必要がある。そのため、立体映像表示時において通常の平面映像表示時と比べて２倍の空間解像度を必要とし、一般的には立体映像の解像度が低い。また、表示品位もアクティブ方式に比べて低い。更に、λ／２板等の偏光素子を各画素にパターン形成する必要があり、映像表示装置のコストアップとなる。【０００４】
アクティブ方式は、表示性能に優れ、例えば、立体映像認識システム用の映像表示装置（以下、３Ｄ表示装置とも言う。）の空間解像度がフルハイビジョン（１９２０×１０８０）の場合、フルハイビジョンの解像度のまま立体表示を行うことができる。また、アクティブ方式の３Ｄ表示装置に求められる主な性能は、高フレームレートと、高性能の画像処理能力であり、これらは現在のハイエンドの映像表示装置でも満足することができる。すなわち、映像表示装置自体に特別な部材を作り込むことなく、３Ｄコンテンツの普及前の段階においても３Ｄ表示装置として展開することができる。【０００５】
以下、アクティブ方式に用いられる偏光メガネをアクティブシャッターメガネとも言う。【０００６】
アクティブ方式の立体映像認識システムとしては、例えば、一対の偏光板と、該一対の偏光板の間に介在する液晶とを有するアクティブシャッターメガネを用いる技術が開示されている（例えば、特許文献１参照。）。
【先行技術文献】
【特許文献】
【０００７】
【特許文献１】特開昭６１−２２７４９８号公報
【非特許文献】
【０００８】
【非特許文献１】畑田、斎田、「奥行き要因の知覚とメカニズム」、テレビジョン学会誌、１９８９年、第４３巻、第８号、ｐ．７５５−７６２
【発明の概要】
【発明が解決しようとする課題】
【０００９】
しかしながら、従来のアクティブ方式の立体映像認識システムにおいては、特に横長の３Ｄ表示装置を用いた場合、特に画面の左右の領域で表示品位が低下することがあった。具体的には、光漏れ、コントラスト（ＣＲ）比の低下、色味変化、クロストーク等が発生することがあった。【００１０】
本発明は、上記現状に鑑みてなされたものであり、表示品位に優れた立体映像を視認することができるアクティブシャッターメガネ及び立体映像認識システムを提供することを目的とするものである。
【課題を解決するための手段】
【００１１】
本発明者らは、表示品位に優れた立体映像を視認することができるアクティブシャッターメガネについて種々検討したところ、液晶セルを有するアクティブシャッターメガネの視野角特性に着目した。そして、（１）左右のシャッター部の視野角は上側及び下側よりも左側及び右側の方が広い形態、（２）左右のシャッター部の視野角は左右のシャッター部の連結部側よりも、その反対側の方が広い形態、（３）左右のシャッター部の視野角特性が実質的に対称な形態、又は、これらが適宜組み合わされた形態を採用することにより、上記課題をみごとに解決することができることに想到し、本発明に到達したものである。【００１２】
すなわち、本発明は、立体映像認識システム用のアクティブシャッターメガネであって、前記アクティブシャッターメガネは、右眼用シャッター部及び左眼用シャッター部を有し、前記右眼用シャッター部及び左眼用シャッター部はそれぞれ、液晶セルを有し、当該メガネ装着時、前記右眼用シャッター部及び左眼用シャッター部の視野角はそれぞれ、上側及び下側よりも左側及び右側の方が広いアクティブシャッターメガネ（以下、本発明の第１のメガネとも言う。）である。【００１３】
本発明の第１のメガネの構成としては、このような構成要素を必須として形成されるものである限り、その他の構成要素により特に限定されるものではない。
本発明の第１のメガネにおける好ましい形態について以下に詳しく説明する。【００１４】
前記右眼用シャッター部及び左眼用シャッター部の視野角特性はそれぞれ、９０°方位及び２７０°方位を通る軸に対して、実質的に対称であることが好ましい。これにより、特に画面の左右の両端における表示品位を同じように向上することができる。その結果、画面の全領域において、より優れた表示品位を実現することができる。【００１５】
当該メガネ装着時、前記右眼用シャッター部及び左眼用シャッター部の視野角はそれぞれ、上側よりも下側の方が広いことが好ましい。これにより、右眼用及び左眼用シャッター部の視野角を人の有効視野に合うように設定することができるので、より優れた表示品位を実現することができる。【００１６】
当該メガネ装着時、前記右眼用シャッター部及び左眼用シャッター部の視野角はそれぞれ、９０°方位よりも２７０°方位の方が広いことがより好ましい。これにより、右眼用及び左眼用シャッター部の視野角を人の有効視野に合うように、より確実に設定することができるので、より優れた表示品位をより確実に実現することができる。【００１７】
前記右眼用シャッター部及び左眼用シャッター部はそれぞれ、λ／４板を備え、前記λ／４板は、前記液晶セルよりも外側に設けられる形態（以下、第一形態とも言う。）が好ましい。これにより、３Ｄ表示装置として液晶表示装置を用いた場合に発生する可能性がある不具合を解消することができる。第一形態は、３Ｄ表示装置として液晶表示装置を用いた立体映像認識システムに特に好適である。【００１８】
前記右眼用シャッター部及び左眼用シャッター部の遮光状態における光漏れを、所定の極角で測定した時（以下、第１の測定時とも言う。）、０°方位及び１８０°方位における光漏れの量は、４以上の方位における光漏れの量の平均よりも小さいことが好ましい。ただし、前記４以上の方位は、全方位内で均等に配置される。これにより、全画面で、二重像の少ない、きれいな立体映像を視認することができる。【００１９】
前記第１の測定時、２７０°方位における光漏れの量は、９０°方位における光漏れの量よりも小さいことがより好ましい。これにより、右眼用及び左眼用シャッター部の視野角を人の有効視野に合うように設定することができるので、より優れた表示品位を実現することができる。【００２０】
前記右眼用シャッター部及び左眼用シャッター部の遮光状態における光漏れを、８以上の方位、かつ所定の極角で測定した時（以下、第２の測定時とも言う。）、−４５°〜４５°方位及び／又は１３５°〜２２５°方位における光漏れの量の平均は、４５°〜１３５°方位及び２２５°〜３１５°方位における光漏れの量の平均よりも小さいことが好ましい。ただし、前記８以上の方位は、全方位内で均等に配置される。これにより、全画面で、二重像の少ない、きれいな立体映像を視認することができる。【００２１】
前記第２の測定時、２２５°〜３１５°方位における光漏れの量の平均は、４５°〜１３５°方位における光漏れの量の平均よりも小さいことがより好ましい。これにより、右眼用及び左眼用シャッター部の視野角を人の有効視野に合うように設定することができるので、より優れた表示品位を実現することができる。【００２２】
前記右眼用シャッター部及び左眼用シャッター部のコントラスト比を、所定の極角で測定した時（以下、第３の測定時とも言う。）、０°方位及び１８０°方位におけるコントラスト比は、４以上の方位におけるコントラスト比の平均よりも高いことが好ましい。ただし、前記４以上の方位は、全方位内で均等に配置される。これにより、全画面で、二重像の少ない、きれいな立体映像を視認することができる。【００２３】
前記第３の測定時、２７０°方位におけるコントラスト比は、９０°方位におけるコントラスト比よりも高いことがより好ましい。これにより、右眼用及び左眼用シャッター部の視野角を人の有効視野に合うように設定することができるので、より優れた表示品位を実現することができる。【００２４】
前記右眼用シャッター部及び左眼用シャッター部のコントラスト比を、８以上の方位、かつ所定の極角で測定した時（以下、第４の測定時とも言う。）、−４５°〜４５°方位及び／又は１３５°〜２２５°方位におけるコントラスト比の平均は、４５°〜１３５°方位及び２２５°〜３１５°方位におけるコントラスト比の平均よりも高いことが好ましい。ただし、前記８以上の方位は、全方位内で均等に配置される。これにより、全画面で、二重像の少ない、きれいな立体映像を視認することができる。【００２５】
前記第４の測定時、２２５°〜３１５°方位におけるコントラスト比の平均は、４５°〜１３５°方位におけるコントラスト比の平均よりも高いことがより好ましい。これにより、右眼用及び左眼用シャッター部の視野角を人の有効視野に合うように設定することができるので、より優れた表示品位を実現することができる。【００２６】
前記液晶セルは、ＴＮ又はＳＴＮ型であり、電圧無印加時、前記液晶セルの厚み方向における中央に位置する液晶分子は、９０°方位及び２７０°方位を通る方向に沿って配向していることが好ましい。これにより、全画面で、二重像の少ない、きれいな立体映像を視認することができる。【００２７】
前記右眼用シャッター部及び左眼用シャッター部を駆動した状態における色味変化を、所定の極角で測定した時（以下、第５の測定時とも言う。）、０°方位及び１８０°方位における色味変化は、４以上の方位における色味変化の平均よりも小さいことが好ましい。ただし、前記４以上の方位は、全方位内で均等に配置される。これにより、全画面で、色味変化の少ない、きれいな立体映像を視認することができる。【００２８】
前記第５の測定時、２７０°方位における色味変化は、９０°方位における色味変化よりも小さいことがより好ましい。これにより、右眼用及び左眼用シャッター部の視野角を人の有効視野に合うように設定することができるので、より優れた表示品位を実現することができる。【００２９】
前記右眼用シャッター部及び左眼用シャッター部を駆動した状態における色味変化を、８以上の方位、かつ所定の極角で測定した時（以下、第６の測定時とも言う。）、−４５°〜４５°方位及び／又は１３５°〜２２５°方位における色味変化の平均は、４５°〜１３５°方位及び２２５°〜３１５°方位における色味変化の平均よりも小さいことが好ましい。ただし、前記８以上の方位は、全方位内で均等に配置される。これにより、全画面で、色味変化の少ない、きれいな立体映像を視認することができる。【００３０】
前記第６の測定時、２２５°〜３１５°方位における色味変化の平均は、４５°〜１３５°方位における色味変化の平均よりも小さいことがより好ましい。これにより、右眼用及び左眼用シャッター部の視野角を人の有効視野に合うように設定することができるので、より優れた表示品位を実現することができる。【００３１】
本発明はまた、本発明の第１のメガネと、映像表示装置とを含んで構成される立体映像認識システム（以下、本発明の第１のシステムとも言う。）でもある。【００３２】
本発明の第１のシステムの構成としては、このような構成要素を必須として形成されるものである限り、その他の構成要素により特に限定されるものではない。【００３３】
本発明の第１のシステムにおいて、前記映像表示装置は、液晶表示装置であり、液晶セルと、前記液晶セル（前記映像表示装置の液晶セル）よりも外側（前面側）に設けられたλ／４板とを備えることが好ましい。これにより、３Ｄ表示装置として液晶表示装置を用いた場合に発生する可能性がある不具合を解消することができる。この形態は、本発明の第１のメガネが上記第一形態を取る場合に特に好適である。【００３４】
本発明はまた、立体映像認識システム用のアクティブシャッターメガネであって、前記アクティブシャッターメガネは、右眼用シャッター部及び左眼用シャッター部を有し、前記右眼用シャッター部及び左眼用シャッター部はそれぞれ、液晶セルを有し、前記右眼用シャッター部及び左眼用シャッター部の視野角はそれぞれ、前記右眼用シャッター部及び左眼用シャッター部の連結部側よりも、その反対側の方が広いアクティブシャッターメガネ（以下、本発明の第２のメガネとも言う。）でもある。【００３５】
本発明の第２のメガネの構成としては、このような構成要素を必須として形成されるものである限り、その他の構成要素により特に限定されるものではない。
本発明の第２のメガネにおける好ましい形態について以下に詳しく説明する。【００３６】
前記右眼用シャッター部及び左眼用シャッター部はそれぞれ、λ／４板を備え、前記λ／４板は、前記液晶セルよりも外側に設けられる形態（以下、第二形態とも言う。）が好ましい。これにより、３Ｄ表示装置として液晶表示装置を用いた場合に発生する可能性がある不具合を解消することができる。第二形態は、３Ｄ表示装置として液晶表示装置を用いた立体映像認識システムに特に好適である。【００３７】
前記右眼用シャッター部及び左眼用シャッター部の遮光状態における光漏れを、４以上の方位、かつ所定の極角で測定した時、前記右眼用シャッター部の−９０°〜９０°方位における光漏れの量の平均は、前記右眼用シャッター部の９０°〜２７０°方位における光漏れの量の平均よりも小さく、前記左眼用シャッター部の９０°〜２７０°方位における光漏れの量の平均は、前記左眼用シャッター部の−９０°〜９０°方位における光漏れの量の平均よりも小さいことが好ましい。ただし、前記４以上の方位は、全方位内で均等に配置される。【００３８】
前記右眼用シャッター部及び左眼用シャッター部の遮光状態における光漏れを、８以上の方位、かつ所定の極角で測定した時、前記右眼用シャッター部の−４５°〜４５°方位における光漏れの量の平均は、前記右眼用シャッター部の４５°〜１３５°方位及び２２５°〜３１５°方位における光漏れの量の平均よりも小さく、前記左眼用シャッター部の１３５°〜２２５°方位における光漏れの量の平均は、前記左眼用シャッター部の４５°〜１３５°方位及び２２５°〜３１５°方位における光漏れの量の平均よりも小さいことが好ましい。ただし、前記８以上の方位は、全方位内で均等に配置される。【００３９】
これらにより、全画面で、二重像の少ない、きれいな立体映像を視認することができる。【００４０】
前記右眼用シャッター部及び左眼用シャッター部のコントラスト比を、４以上の方位、かつ所定の極角で測定した時、前記右眼用シャッター部の−９０°〜９０°方位におけるコントラスト比の平均は、前記右眼用シャッター部の９０°〜２７０°方位におけるコントラスト比の平均よりも高く、前記左眼用シャッター部の９０°〜２７０°方位におけるコントラスト比の平均は、前記左眼用シャッター部の−９０°〜９０°方位におけるコントラスト比の平均よりも高いことが好ましい。ただし、前記４以上の方位は、全方位内で均等に配置される。【００４１】
前記右眼用シャッター部及び左眼用シャッター部のコントラスト比を、８以上の方位、かつ所定の極角で測定した時、前記右眼用シャッター部の−４５°〜４５°方位におけるコントラスト比の平均は、前記右眼用シャッター部の４５°〜１３５°方位及び２２５°〜３１５°方位におけるコントラスト比の平均よりも高く、前記左眼用シャッター部の１３５°〜２２５°方位におけるコントラスト比の平均は、前記左眼用シャッター部の４５°〜１３５°方位及び２２５°〜３１５°方位におけるコントラスト比の平均よりも高いことが好ましい。ただし、前記８以上の方位は、全方位内で均等に配置される。【００４２】
これらにより、全画面で、二重像の少ない、きれいな立体映像を視認することができる。【００４３】
前記右眼用シャッター部及び左眼用シャッター部を駆動した状態における色味変化を、４以上の方位、かつ所定の極角で測定した時、前記右眼用シャッター部の−９０°〜９０°方位における色味変化の平均は、前記右眼用シャッター部の９０°〜２７０°方位における色味変化の平均よりも小さく、前記左眼用シャッター部の９０°〜２７０°方位における色味変化の平均は、前記左眼用シャッター部の−９０°〜９０°方位における色味変化の平均よりも小さいことが好ましい。ただし、前記４以上の方位は、全方位内で均等に配置される。【００４４】
前記右眼用シャッター部及び左眼用シャッター部を駆動した状態における色味変化を、８以上の方位、かつ所定の極角で測定した時、前記右眼用シャッター部の−４５°〜４５°方位における色味変化の平均は、前記右眼用シャッター部の４５°〜１３５°方位及び２２５°〜３１５°方位における色味変化の平均よりも小さく、前記左眼用シャッター部の１３５°〜２２５°方位における色味変化の平均は、前記左眼用シャッター部の４５°〜１３５°方位及び２２５°〜３１５°方位における色味変化の平均よりも小さいことが好ましい。ただし、前記８以上の方位は、全方位内で均等に配置される。【００４５】
これらにより、全画面で、色味変化の少ない、きれいな立体映像を視認することができる。【００４６】
本発明はまた、本発明の第２のメガネと、映像表示装置とを含んで構成される立体映像認識システム（以下、本発明の第２のシステムとも言う。）でもある。【００４７】
本発明の第２のシステムの構成としては、このような構成要素を必須として形成されるものである限り、その他の構成要素により特に限定されるものではない。【００４８】
本発明の第２のシステムにおいて、前記映像表示装置は、液晶表示装置であり、液晶セルと、前記液晶セル（前記映像表示装置の液晶セル）よりも外側（前面側）に設けられたλ／４板とを備えることが好ましい。これにより、３Ｄ表示装置として液晶表示装置を用いた場合に発生する可能性がある不具合を解消することができる。この形態は、本発明の第２のメガネが上記第二形態を取る場合に特に好適である。【００４９】
本発明はまた、立体映像認識システム用のアクティブシャッターメガネであって、前記アクティブシャッターメガネは、右眼用シャッター部及び左眼用シャッター部を有し、前記右眼用シャッター部及び左眼用シャッター部はそれぞれ、液晶セルを有し、前記右眼用シャッター部の視野角特性は、前記左眼用シャッター部の視野角特性と実質的に対称であるアクティブシャッターメガネ（以下、本発明の第３のメガネとも言う。）でもある。【００５０】
本発明の第３のメガネの構成としては、このような構成要素を必須として形成されるものである限り、その他の構成要素により特に限定されるものではない。
本発明の第３のメガネにおける好ましい形態について以下に詳しく説明する。【００５１】
前記右眼用シャッター部及び左眼用シャッター部はそれぞれ、λ／４板を備え、前記λ／４板は、前記液晶セルよりも外側に設けられる形態（以下、第三形態とも言う。）が好ましい。これにより、３Ｄ表示装置として液晶表示装置を用いた場合に発生する可能性がある不具合を解消することができる。第三形態は、３Ｄ表示装置として液晶表示装置を用いた立体映像認識システムに特に好適である。【００５２】
前記右眼用シャッター部及び左眼用シャッター部は、互いに実質的に対称な構成を有することが好ましい。【００５３】
前記右眼用シャッター部の液晶セル中の液晶配向と、前記左眼用シャッター部の液晶セル中の液晶配向とは、互いに実質的に対称であることが好ましい。【００５４】
本発明はまた、本発明の第３のメガネと、映像表示装置とを含んで構成される立体映像認識システム（以下、本発明の第３のシステムとも言う。）でもある。【００５５】
本発明の第３のシステムの構成としては、このような構成要素を必須として形成されるものである限り、その他の構成要素により特に限定されるものではない。【００５６】
本発明の第３のシステムにおいて、前記映像表示装置は、液晶表示装置であり、液晶セルと、前記液晶セル（前記映像表示装置の液晶セル）よりも外側（前面側）に設けられたλ／４板とを備えることが好ましい。これにより、３Ｄ表示装置として液晶表示装置を用いた場合に発生する可能性がある不具合を解消することができる。この形態は、本発明の第３のメガネが上記第三形態を取る場合に特に好適である。
【発明の効果】
【００５７】
本発明のアクティブシャッターメガネ及び立体映像認識システムによれば、表示品位に優れた立体映像を視認することができる。
【図面の簡単な説明】
【００５８】
【図１】実施形態１の立体映像認識システムの構成を示す斜視模式図である。
【図２】実施形態１の立体映像認識システムの動作原理を説明するための図である。
【図３】実施形態１のアクティブシャッターメガネの構成を示す斜視模式図である。
【図４】実施形態１のアクティブシャッターメガネの視野角特性（ＣＲ比）を示す図である。
【図５】実施形態１の映像表示装置の構成を示す平面模式図である。
【図６】視距離と視野角の関係を示すグラフである。
【図７】人の有効視野を説明するための模式図である。
【図８】実施形態１の映像表示装置と、偏光サングラスとを示す斜視模式図である。
【図９】実施形態１（変形例１）の立体映像認識システムの構成を示す斜視模式図である。
【図１０】実施形態１（変形例１）のアクティブシャッターメガネの構成を示す斜視模式図である。
【図１１】実施形態１（変形例１）のアクティブシャッターメガネにおける軸の配置関係を示す模式図である。
【図１２】実施形態１（変形例１）の映像表示装置における軸の配置関係を示す模式図である。
【図１３】参考例１の立体映像認識システムの構成を示す斜視模式図である。
【図１４】参考例１のアクティブシャッターメガネにおける配向処理方向と液晶分子の配向方向との関係を示す模式図である。
【図１５】参考例１のアクティブシャッターメガネの視野角特性（ＣＲ比）を示す図である。
【図１６】参考例１のアクティブシャッターメガネの視野角特性（ＣＲ比）を示すグラフである。
【図１７】参考例１のアクティブシャッターメガネの視野角特性（色味変化）を示す図である。
【図１８】実施例１、２及び４のアクティブシャッターメガネにおける方位を示す模式図である。
【図１９】実施例２のアクティブシャッターメガネの視野角特性（ＣＲ比）を示す図である。
【図２０】実施形態２の立体映像認識システムの構成を示す斜視模式図である。
【図２１】実施形態２のアクティブシャッターメガネの構成を示す斜視模式図である。
【図２２】実施形態２のアクティブシャッターメガネの構成を示す斜視模式図である。
【図２３】実施形態２のアクティブシャッターメガネの視野角特性（ＣＲ比）を示す図である。
【図２４】実施形態２のアクティブシャッターメガネの視野角特性（ＣＲ比）を示す図である。
【図２５】実施形態２の映像表示装置の構成を示す平面模式図である。
【図２６】実施形態２（変形例２）のアクティブシャッターメガネの構成を示す斜視模式図である。
【図２７】実施形態２（変形例２）のアクティブシャッターメガネの構成を示す斜視模式図である。
【図２８】実施形態３の立体映像認識システムの構成を示す斜視模式図である。
【図２９】実施形態３のアクティブシャッターメガネの構成を示す斜視模式図である。
【図３０】実施形態３のアクティブシャッターメガネの構成を示す斜視模式図である。
【図３１】実施形態３のアクティブシャッターメガネの視野角特性（ＣＲ比）を示す図である。
【図３２】実施形態３のアクティブシャッターメガネの視野角特性（ＣＲ比）を示す図である。
【図３３】人が立体映像を視認する原理を説明するための模式図である。
【図３４】実施形態３（変形例３）のアクティブシャッターメガネの構成を示す斜視模式図である。
【図３５】実施形態３（変形例３）のアクティブシャッターメガネの構成を示す斜視模式図である。
【図３６】アクティブシャッターメガネにおける方位φ、φ’を説明するための図である。
【図３７】図１９から算出した、極角θ＝１５°、２０°、３０°における方位φ、φ’に対するＣＲ比の曲線を表すグラフであり、上段には、右半分（方位φ＝９０°〜−９０°、φ’＝０°〜＋１８０°）の結果を、下段には、左半分（方位φ＝９０°〜２７０°、φ’＝０°〜−１８０°）の結果を示す。
【図３８】図１５から算出した、極角θ＝１５°、２０°、３０°における方位φ、φ’に対するＣＲ比の曲線を表すグラフであり、上段には、右半分（方位φ＝９０°〜−９０°、φ’＝０°〜＋１８０°）の結果を、下段には、左半分（方位φ＝９０°〜２７０°、φ’＝０°〜−１８０°）の結果を示す。
【図３９】アクティブシャッターメガネの左右のシャッター部における方位φ、φ’を説明するための図である。
【発明を実施するための形態】
【００５９】
本明細書において、メガネの内外については、メガネ装着時の観察者（着用者）側を内側、その反対側を外側と定義する。
【００６０】
また、映像表示装置の前後については、観察者側を前面側、その反対側を背面側と定義する。
【００６１】
本明細書において、メガネの方位に関しては、観察者が当該メガネを装着した状態において観察者から見て右方向（３時方向）を０°方位とし、反時計回りを正とする。表示装置の方位に関しては、画面を正面視したときの右方向（３時方向）を０°方位とし、反時計回りを正とする。また、メガネ及び表示装置のいずれの方位に関しても、０°方位及び１８０°方位を通る方向を横方向とも言い、９０°方位及び２７０°方位を通る方向を縦方向とも言う。
【００６２】
直線偏光素子は、自然光を直線偏光に変える機能を有するものであり、特に断りのない限り、本明細書中で「直線偏光素子」というときは保護フィルムを含まず、偏光機能を有する素子だけを指す。
【００６３】
本明細書において、λ／４板は、少なくとも波長５５０ｎｍの光に対して略１／４波長のリタデーションを有する層である。λ／４板のリタデーションは、波長５５０ｎｍの光に対して正確には１３７．５ｎｍであるが、１００ｎｍ以上、１８０ｎｍ以下であればよく、１２０ｎｍ以上、１６０ｎｍ以下であることが好ましく、１３０ｎｍ以上、１４５ｎｍ以下であることがより好ましい。
【００６４】
面内位相差Ｒは、複屈折層（液晶セル、λ／４板及びλ／２板を含む）の面内方向の主屈折率をｎｘ及びｎｙと定義し、面外方向（厚み方向）の主屈折率をｎｚ、複屈折層の厚みをｄと定義したとき、Ｒ＝｜ｎｘ−ｎｙ｜×ｄで定義される面内位相差（単位：ｎｍ）である。これに対して、厚み方向位相差Ｒｔｈは、Ｒｔｈ＝（ｎｚ−（ｎｘ＋ｎｙ）／２）×ｄで定義される面外（厚み方向）位相差（単位：ｎｍ）である。本明細書中で位相差の測定波長は、特に断りのない限り５５０ｎｍとする。
【００６５】
なお、ｎｘは複屈折層の面内の屈折率が最大となる方向（すなわち、遅相軸方向）の屈折率であり、ｎｙは面内で遅相軸（ｎｘ）と直交する方向の屈折率である。
【００６６】
以下に実施形態を掲げ、本発明を図面を参照して更に詳細に説明するが、本発明はこれらの実施形態のみに限定されるものではない。
【００６７】
（実施形態１）
本実施形態のアクティブ方式の立体映像認識システムは、図１に示すように、映像表示装置（３Ｄ表示装置）１１０と、アクティブシャッターメガネ１２０とを含んで構成される。
【００６８】
表示装置１１０には、図２に示すように、右眼用の映像信号（Ｒ信号）と、左眼用の映像信号（Ｌ信号）とが交互に供給され、表示装置１１０の画面には、視差のついた右眼用画像及び左眼用画像が交互に時分割方式で表示される。
【００６９】
表示装置１１０としては特に限定されず、液晶表示装置、プラズマディスプレイ、有機又は無機ＥＬディスプレイ、ＣＲＴディスプレイ、プロジェクタ及びスクリーンを組み合わせた装置等が挙げられる。表示装置１１０として液晶表示装置を用いた場合は、図２に示すように、バックライトは常に点灯していてもよい。
【００７０】
メガネ１２０は、右眼用シャッター部及び左眼用シャッター部（以下、左右のシャッター部とも言う。）１２１を有する。左右のシャッター部１２１の透光及び遮光（開閉）は、交互に切り替わる。図２に示すように、切り替えのタイミングはＲ信号及びＬ信号に同期される。これにより、観察者の右眼には右眼用画像が投影され、左眼には左眼用画像が投影され、観察者は、立体映像を認識することができる。
【００７１】
また、左右のシャッター部１２１はそれぞれ、図３に示すように、直線偏光素子（内側偏光素子）１２２、視野角補償フィルム１２５、液晶セル１２３、視野角補償フィルム１２６及び直線偏光素子（外側偏光素子）１２４を内側からこの順に備える。
【００７２】
偏光素子１２２及び１２４は、互いにパラレルニコルに配置されてもよいが、通常は、互いにクロスニコルに配置されている。より具体的には、内側偏光素子１２２の透過軸１２２ｔと、外側偏光素子１２４の透過軸１２４ｔとのなす角は、９０°±１５°（好適には９０°±５°）の範囲内に設定されている。内側偏光素子１２２の透過軸１２２ｔは、４５°方位及び２２５°方位を通る方向から±１５°（好適には±５°）の範囲内に設定され、外側偏光素子１２４の透過軸１２４ｔは、１３５°方位及び３１５°方位を通る方向から±１５°（好適には±５°）の範囲内に設定されている。なお、これらの数値範囲は境界値を含む。
【００７３】
視野角補償フィルム１２５及び１２６は、左右のシャッター部１２１の遮光時における視野角を補償する機能を有し、例えば、ネガティブＣプレートを含む。なお、ネガティブＣプレートの屈折率楕円体は、円盤状であり、ネガティブＣプレートは、ｎｘ≒ｎｙ＞ｎｚの関係を満たす。
【００７４】
液晶セル１２３の液晶モードは、捩れネマチック（Ｔｗｉｓｔｅｄ  Ｎｅｍａｔｉｃ（ＴＮ））モードであり、液晶セル１２３は、２枚の透明基板と、この２枚の基板の間に狭持された液晶層と、２枚の基板それぞれに形成された２つの透明電極とを備える。液晶層は、誘電率異方性が正のネマチック液晶分子を含む。この液晶分子は、基板表面では配向処理方向（例えば、ラビング方向）に配向し、液晶層の厚み方向で略９０°捩れるように配向している。また、この液晶分子は、外側から見た時（光の進行方向に対して）、時計回りに捩れている。すなわち、液晶セル１２３の厚み方向における中央に位置する液晶分子（以下、中央分子とも言う。）は、縦方向（９０°方位及び２７０°方位を通る方向）を向くように配向されている。また、外側の基板の配向処理方向は、外側偏光素子１２４の透過軸１２４ｔと略直交し、内側の基板の配向処理方向は、内側偏光素子１２２の透過軸１２２ｔと略直交している。より具体的には、外側の基板の配向処理方向と、外側偏光素子１２４の透過軸１２４ｔとのなす角は、９０°±１５°（好適には９０°±５°）の範囲内に設定され、内側の基板の配向処理方向と、内側偏光素子１２２の透過軸１２２ｔとのなす角は、９０°±１５°（好適には９０°±５°）の範囲内に設定されている。なお、これらの数値範囲は境界値を含む。
【００７５】
液晶セル１２３としては、表示装置１１０のフレームレートに同期できる程度の応答速度を確保できるものであれば特に限定されない。液晶セル１２３の液晶モードは、ＴＮモードの他、例えば、超捩れネマチック（Ｓｕｐｅｒ  Ｔｗｉｓｔｅｄ  Ｎｅｍａｔｉｃ（ＳＴＮ））モード、光学補償複屈折（Ｏｐｔｉｃａｌｌｙ  Ｃｏｍｐｅｎｓａｔｅｄ  Ｂｉｒｅｆｒｉｎｇｅｎｃｅ（ＯＣＢ））モード、垂直配向（Ｖｅｒｔｉｃａｌ  Ａｌｉｇｎｍｅｎｔ（ＶＡ））モード、面内スイッチング（Ｉｎ  Ｐｌａｎｅ  Ｓｗｉｔｃｈｉｎｇ（ＩＰＳ））モード、強誘電性液晶（Ｆｅｒｒｏｅｌｅｃｔｒｉｃ  Ｌｉｑｕｉｄ  Ｃｒｙｓｔａｌ（ＦＬＣ））等であってもよい。
【００７６】
一般的に、液晶を用いたアクティブシャッターメガネは、液晶配向の非対称性に起因して、上下左右で非対称な視野角特性を持つ。本実施形態の左右のシャッター部１２１も、例えば図４に示すように、上下左右で非対称な視野角特性（ＣＲ特性）を有している。そこで、本実施形態では、メガネ１２０装着時、左右のシャッター部１２１の視野角がそれぞれ、上側及び下側よりも左側及び右側の方が広くなっている。換言すると、右眼用シャッター部の左側の視野角は、右眼用シャッター部の上側及び下側のいずれの視野角よりも広く、右眼用シャッター部の右側の視野角は、右眼用シャッター部の上側及び下側のいずれの視野角よりも広い。また、左眼用シャッター部の左側の視野角は、左眼用シャッター部の上側及び下側のいずれの視野角よりも広く、左眼用シャッター部の右側の視野角は、左眼用シャッター部の上側及び下側のいずれの視野角よりも広い。これにより、テレビ、映画館のスクリーン等のように、特に表示装置１１０が横長の画面を備える場合に、特に画面の左右の領域において優れた表示品位の立体映像を視認することができる。
【００７７】
例えば、図５に示すように、観察者が画面中心の鉛直方向に位置し、フルハイビジョンＴＶを視距離３Ｈ（Ｈは画面１１９の縦方向の長さ）から観察する場合、図６に示すように、観察者の視野角（観察者が観察する範囲）は、横方向に略±１７°、縦方向に略±１０°の範囲となる。フルハイビジョンＴＶに限らず、映画館のスクリーンやスーパーハイビジョンＴＶを考えても、右眼用及び左眼用画像は横長の画面で表示されることが一般的である。以上より、メガネ１２０の視野角は、縦方向より横方向に広いことが好ましく、観察者の視野角の範囲（観察者が観察する範囲）内で充分高いＣＲ比が実現されていることが好ましい。また、観察者は画面を左右対称に観察する場合が多く、そのため、特に広い視野角が求められる横方向において、メガネ１２０の視野角特性が対称であることがより好ましい。
【００７８】
また、非特許文献１には、人の有効視野（瞬時に情報受容が可能で、眼球運動のみで注視する範囲）は、図７の（２）の範囲であると記載されている。具体的には、左右１５°、上８°、下１２°以内とされている。すなわち横方向が最も広く、次に広いのが下方向、最も狭いのが上方向である。したがって、メガネ１２０の視野角特性も、この範囲の広さを参考に決定されることが好ましく、メガネ１２０の視野角の広い領域を右側及び左側に配置することが好ましい。また、メガネ１２０の視野角の狭い領域を上側に配置してもよい。
【００７９】
また、右眼用シャッター部の遮光状態における光漏れを、所定の極角で測定した時、０°方位及び１８０°方位における光漏れの量、すなわち、０°方位における光漏れの量及び１８０°方位における光漏れの量は、４以上の方位における光漏れの量の平均よりも小さいことが好ましく、９０°方位及び／又は２７０°方位（より好適には、９０°方位及び２７０°方位）における光漏れの量、すなわち、９０°方位における光漏れの量及び／又は２７０°方位における光漏れの量（より好適には、９０°方位における光漏れの量及び２７０°方位における光漏れの量）は、４以上の方位における光漏れの量の平均よりも大きいことが好ましい。
【００８０】
また、左眼用シャッター部の遮光状態における光漏れを、所定の極角で測定した時、０°方位及び１８０°方位における光漏れの量、すなわち、０°方位における光漏れの量及び１８０°方位における光漏れの量は、４以上の方位における光漏れの量の平均よりも小さいことが好ましく、９０°方位及び／又は２７０°方位（より好適には、９０°方位及び２７０°方位）における光漏れの量、すなわち、９０°方位における光漏れの量及び／又は２７０°方位における光漏れの量（より好適には、９０°方位における光漏れの量及び２７０°方位における光漏れの量）は、４以上の方位における光漏れの量の平均よりも大きいことが好ましい。
【００８１】
これらにより、全画面で、二重像の少ない、きれいな立体映像を視認することができる。
【００８２】
また、これらの形態において、２７０°方位における光漏れの量は、９０°方位における光漏れの量よりも小さいことがより好ましい。これにより、左右のシャッター部１２１の視野角を人の有効視野に合うように設定することができるので、より優れた表示品位を実現することができる。
【００８３】
また、右眼用シャッター部の遮光状態における光漏れを、８以上の方位、かつ所定の極角で測定した時、−４５°〜４５°方位及び／又は１３５°〜２２５°方位（より好適には、−４５°〜４５°方位及び１３５°〜２２５°方位）における光漏れの量の平均、すなわち、−４５°〜４５°方位における光漏れの量の平均及び／又は１３５°〜２２５°方位における光漏れの量の平均（より好適には、−４５°〜４５°方位における光漏れの量の平均及び１３５°〜２２５°方位における光漏れの量の平均）は、４５°〜１３５°方位及び２２５°〜３１５°方位における光漏れの量の平均、すなわち、４５°〜１３５°方位における光漏れの量の平均及び２２５°〜３１５°方位における光漏れの量の平均よりも小さいことが好ましい。
【００８４】
また、左眼用シャッター部の遮光状態における光漏れを、８以上の方位、かつ所定の極角で測定した時、−４５°〜４５°方位及び／又は１３５°〜２２５°方位（より好適には、−４５°〜４５°方位及び１３５°〜２２５°方位）における光漏れの量の平均、すなわち、−４５°〜４５°方位における光漏れの量の平均及び／又は１３５°〜２２５°方位における光漏れの量の平均（より好適には、−４５°〜４５°方位における光漏れの量の平均及び１３５°〜２２５°方位における光漏れの量の平均）は、４５°〜１３５°方位及び２２５°〜３１５°方位における光漏れの量の平均、すなわち、４５°〜１３５°方位における光漏れの量の平均及び２２５°〜３１５°方位における光漏れの量の平均よりも小さいことが好ましい。
【００８５】
これらにより、全画面で、二重像の少ない、きれいな立体映像を視認することができる。
【００８６】
また、これらの形態において、２２５°〜３１５°方位における光漏れの量の平均は、４５°〜１３５°方位における光漏れの量の平均よりも小さいことがより好ましい。これにより、左右のシャッター部１２１の視野角を人の有効視野に合うように設定することができるので、より優れた表示品位を実現することができる。
【００８７】
また、右眼用シャッター部のＣＲ比を、所定の極角で測定した時、０°方位及び１８０°方位におけるＣＲ比、すなわち、０°方位におけるＣＲ比及び１８０°方位におけるＣＲ比は、４以上の方位におけるＣＲ比の平均よりも高いことが好ましく、９０°方位及び／又は２７０°方位（より好適には、９０°方位及び２７０°方位）におけるＣＲ比、すなわち、９０°方位におけるＣＲ比及び／又は２７０°方位におけるＣＲ比（より好適には、９０°方位におけるＣＲ比及び２７０°方位におけるＣＲ比）は、４以上の方位におけるＣＲ比の平均よりも低いことが好ましい。
【００８８】
また、左眼用シャッター部のＣＲ比を、所定の極角で測定した時、０°方位及び１８０°方位におけるＣＲ比、すなわち、０°方位におけるＣＲ比及び１８０°方位におけるＣＲ比は、４以上の方位におけるＣＲ比の平均よりも高いことが好ましく、９０°方位及び／又は２７０°方位（より好適には、９０°方位及び２７０°方位）におけるＣＲ比、すなわち、９０°方位におけるＣＲ比及び／又は２７０°方位におけるＣＲ比（より好適には、９０°方位におけるＣＲ比及び２７０°方位におけるＣＲ比）は、４以上の方位におけるＣＲ比の平均よりも低いことが好ましい。
【００８９】
これらにより、全画面で、二重像の少ない、きれいな立体映像を視認することができる。
【００９０】
また、これらの形態において、２７０°方位におけるコントラスト比は、９０°方位におけるコントラスト比よりも高いことがより好ましい。これにより、左右のシャッター部１２１の視野角を人の有効視野に合うように設定することができるので、より優れた表示品位を実現することができる。
【００９１】
また、右眼用シャッター部のＣＲ比を、８以上の方位、かつ所定の極角で測定した時、−４５°〜４５°方位及び／又は１３５°〜２２５°方位（より好適には、−４５°〜４５°方位及び１３５°〜２２５°方位）におけるＣＲ比の平均、すなわち、−４５°〜４５°方位におけるＣＲ比の平均及び／又は１３５°〜２２５°方位におけるＣＲ比の平均（より好適には、−４５°〜４５°方位におけるＣＲ比の平均及び１３５°〜２２５°方位におけるＣＲ比の平均）は、４５°〜１３５°方位及び２２５°〜３１５°方位におけるＣＲ比の平均、すなわち、４５°〜１３５°方位におけるＣＲ比の平均及び２２５°〜３１５°方位におけるＣＲ比の平均よりも高いことが好ましい。
【００９２】
また、左眼用シャッター部のＣＲ比を、８以上の方位、かつ所定の極角で測定した時、−４５°〜４５°方位及び／又は１３５°〜２２５°方位（より好適には、−４５°〜４５°方位及び１３５°〜２２５°方位）におけるＣＲ比の平均、すなわち、−４５°〜４５°方位におけるＣＲ比の平均及び／又は１３５°〜２２５°方位におけるＣＲ比の平均（より好適には、−４５°〜４５°方位におけるＣＲ比の平均及び１３５°〜２２５°方位におけるＣＲ比の平均）は、４５°〜１３５°方位及び２２５°〜３１５°方位におけるＣＲ比の平均、すなわち、４５°〜１３５°方位におけるＣＲ比の平均及び２２５°〜３１５°方位におけるＣＲ比の平均よりも高いことが好ましい。
【００９３】
これらにより、全画面で、二重像の少ない、きれいな立体映像を視認することができる。
【００９４】
また、これらの形態において、２２５°〜３１５°方位におけるコントラスト比の平均は、４５°〜１３５°方位におけるコントラスト比の平均よりも高いことがより好ましい。これにより、左右のシャッター部１２１の視野角を人の有効視野に合うように設定することができるので、より優れた表示品位を実現することができる。
【００９５】
また、右眼用シャッター部を実際に駆動させた状態での右眼用シャッター部の色味変化を、所定の極角で測定した時、０°方位及び１８０°方位における色味変化、すなわち、０°方位における色味変化及び１８０°方位における色味変化は、４以上の方位における色味変化の平均よりも小さいことが好ましく、９０°方位及び／又は２７０°方位（より好適には、９０°方位及び２７０°方位）における色味変化、すなわち、９０°方位における色味変化及び／又は２７０°方位における色味変化（より好適には、９０°方位における色味変化及び２７０°方位における色味変化）は、４以上の方位における色味変化の平均よりも大きいことが好ましい。
【００９６】
また、左眼用シャッター部を実際に駆動させた状態での左眼用シャッター部の色味変化を、所定の極角で測定した時、０°方位及び１８０°方位における色味変化、すなわち、０°方位における色味変化及び１８０°方位における色味変化は、４以上の方位における色味変化の平均よりも小さいことが好ましく、９０°方位及び／又は２７０°方位（より好適には、９０°方位及び２７０°方位）における色味変化、すなわち、９０°方位における色味変化及び／又は２７０°方位における色味変化（より好適には、９０°方位における色味変化及び２７０°方位における色味変化）は、４以上の方位における色味変化の平均よりも大きいことが好ましい。
【００９７】
これらにより、全画面で、色味変化の少ない、きれいな立体映像を視認することができる。
【００９８】
また、これらの形態において、２７０°方位における色味変化は、９０°方位における色味変化よりも小さいことがより好ましい。これにより、左右のシャッター部１２１の視野角を人の有効視野に合うように設定することができるので、より優れた表示品位を実現することができる。
【００９９】
また、右眼用シャッター部を実際に駆動させた状態での右眼用シャッター部の色味変化を、８以上の方位、かつ所定の極角で測定した時、−４５°〜４５°方位及び／又は１３５°〜２２５°方位（より好適には、−４５°〜４５°方位及び１３５°〜２２５°方位）における色味変化の平均、すなわち、−４５°〜４５°方位における色味変化の平均及び／又は１３５°〜２２５°方位における色味変化の平均（より好適には、−４５°〜４５°方位における色味変化の平均及び１３５°〜２２５°方位における色味変化の平均）は、４５°〜１３５°方位及び２２５°〜３１５°方位における色味変化の平均、すなわち、４５°〜１３５°方位における色味変化の平均及び２２５°〜３１５°方位における色味変化の平均よりも小さいことが好ましい。
【０１００】
また、左眼用シャッター部を実際に駆動させた状態での左眼用シャッター部の色味変化を、８以上の方位、かつ所定の極角で測定した時、−４５°〜４５°方位及び／又は１３５°〜２２５°方位（より好適には、−４５°〜４５°方位及び１３５°〜２２５°方位）における色味変化の平均、すなわち、−４５°〜４５°方位における色味変化の平均及び／又は１３５°〜２２５°方位における色味変化の平均（より好適には、−４５°〜４５°方位における色味変化の平均及び１３５°〜２２５°方位における色味変化の平均）は、４５°〜１３５°方位及び２２５°〜３１５°方位における色味変化の平均、すなわち、４５°〜１３５°方位における色味変化の平均及び２２５°〜３１５°方位における色味変化の平均よりも小さいことが好ましい。
【０１０１】
これらにより、全画面で、色味変化の少ない、きれいな立体映像を視認することができる。
【０１０２】
また、これらの形態において、２２５°〜３１５°方位における色味変化の平均は、４５°〜１３５°方位における色味変化の平均よりも小さいことがより好ましい。これにより、左右のシャッター部１２１の視野角を人の有効視野に合うように設定することができるので、より優れた表示品位を実現することができる。
【０１０３】
ただし、上記４以上の方位及び８以上の方位は、全方位内で均等に配置される。
【０１０４】
なお、上記４以上の方位は、８以上の方位であることが好ましく、１２以上の方位であることがより好ましく、２４以上の方位であることが更に好ましい。
【０１０５】
また、上記８以上の方位は、１２以上の方位であることが好ましく、２４以上の方位であることがより好ましい。
【０１０６】
また、上記所定の極角は特に限定されないが、通常は０°よりも大きく、９０°よりも小さい範囲内で決定され、好適には５°〜４５°（より好適には８°〜３０°）の範囲内で決定される。
【０１０７】
また、液晶セル１２３の液晶モードがＴＮモード又はＳＴＮモードである場合、中央分子は、横方向に沿って配向していてもよい。これによっても、全画面で、色味変化の少ない、きれいな立体映像を視認することができる。
【０１０８】
なお、中央分子の配向方向は、横方向と厳密に一致する必要はないが、これらの方向のなす角は、１５°以下であることが好ましく、５°以下であることがより好ましい。
【０１０９】
また、中央分子の配向方向は、液晶セル１２３の２枚の基板の配向処理方向（例えば、ラビング方向）から決定することができる。
【０１１０】
また、右眼用シャッター部の視野角特性は、９０°方位及び２７０°方位を通る軸に対して、実質的に対称であることが好ましく、左眼用シャッター部の視野角特性は、９０°方位及び２７０°方位を通る軸に対して、実質的に対称であることが好ましい。これにより、特に画面の左右の両端における表示品位を同じように向上することができる。その結果、画面の全領域において、より優れた表示品位を実現することができる。
【０１１１】
なお、これらの視野角特性はいずれも、上記軸に対して厳密に対称である必要はないが、例えば、以下の条件を満たすことが好ましい。
【０１１２】
まず、各シャッター部のＣＲ比を１２以上の方位（ただし、これらの方位は全方位内で均等に配置される）かつ複数の所定の極角において測定する。次に、該測定結果から、方位に対する各シャッター部のＣＲ比の曲線を表すグラフを作成する。ここで、図３６に示すように、９０°方位（１２時方向）を基準（０°）とし、時計回りを正とする方位φ’を導入する。そして、方位φ’が０°から時計回りに＋１８０°までの範囲（右半分）と、方位φ’が０°から反時計回りに−１８０°までの範囲（左半分）とにおいて、各極角の各曲線についてＣＲ比の大きさが同程度の極大（又は極小）点を比較し、その結果、両極大（又は極小）点の｜φ’｜（方位φ’の絶対値）の差が３０°以下であることが好ましい。
【０１１３】
なお、測定される視野角特性はＣＲ比に特に限定されず、上述のように、遮光状態における光漏れ、シャッター部が実際に駆動している時の色味変化であってもよい。
【０１１４】
また、上記１２以上の方位は、２４以上の方位であることが好ましい。
【０１１５】
また、上記複数の所定の極角は特に限定されないが、通常は０°よりも大きく、９０°よりも小さい範囲内で決定され、好適には５°〜４５°（より好適には１５°〜３０°）の範囲内で決定される。更に、上記複数の所定の極角の数は特に限定されないが、通常は、２以上、５以下であり、好適には３以上、４以下である。
【０１１６】
また、上記比較において、ＣＲ比の大きさが同程度である２つの極大（又は極小）点のＣＲ比の差は、１００以下であることが好ましく、５０以下であることがより好ましい。また、両ＣＲ比は、任意のＣＲ比（例えば、両者のＣＲ比の平均値）の±１０％（より好適には±５％）の範囲内にあることが好ましい。
【０１１７】
更に、比較対象となる極大（又は極小）点が複数存在する場合は、少なくとも一組の極大（又は極小）点が上述の条件を満たせばよく、比較対象となる全ての極大（又は極小）点が上述の条件を満たす必要はない。
【０１１８】
以下、特に方位φ’と言及する場合を除いて、メガネの方位は上記定義（右方向（３時方向）が０°、反時計回りが正）に従うものとする。
【０１１９】
本実施形態で評価され得る視野角特性としては、下記の角度特性も挙げられる。
・シャッター部が透光状態の時の色味変化
・シャッター部が透光状態の時の透過率特性
・シャッター部が実際に駆動している時の透過率
・シャッター部が実際に駆動している時のクロストーク量
【０１２０】
なお、色味変化としては、具体的には、例えば、Δｕ’ｖ’、ΔＣ＊ａｂ等の色差が挙げられる。Δｕ’ｖ’は、１９７６ＣＩＥ  ＵＣＳ表色系において、色度図内の座標変化（＝（（ｕ’−ｕ’０）２＋（ｖ’−ｖ’０）２）０．５）から算出される。また、ΔＣ＊ａｂは、Ｌ＊ａ＊ｂ＊表色系において、色度図内の座標変化（＝（（Δａ＊）２＋（Δｂ＊）２）０．５）から算出される。
【０１２１】
また、図２に示したように、左右のシャッター部１２１の透光及び遮光（開閉）の切り替えのタイミングは、Ｒ信号及びＬ信号に同期している。そして、観察者は、透光及び遮光状態、すなわち右眼用及び左眼用画像を、時間的に平均して見ることになる。しかしながら、左右のシャッター部１２１の応答が充分速くないような場合は、透光及び遮光状態だけでなく、これらの中間の遷移状態が占める時間の割合が多くなる。したがって、透光及び遮光状態の静的特性だけではアクティブシャッターメガネの視野角特性を充分には評価できない場合が生じる。このような状況は、右眼用及び左眼用画像がより速いフレームレートで表示される場合ほど顕著になる。したがって、特に時分割で右眼用及び左眼用画像が表示されることで立体映像を視認するシステムを評価する上では、アクティブシャッターメガネを実際に駆動した状態で、その視野角特性を評価することが好ましい。
【０１２２】
ところで、最近のテレビ用の液晶表示装置は、一般的にはＶＡモード又はＩＰＳモードであり、図８に示すように、その多くは、液晶セルよりも観察者側に設けられた直線偏光素子１１７の透過軸１１７ｔが縦方向になるように設計されている。これは、新たに部材を追加するような特別な手当てをしなくても、偏光サングラスをかけた観察者が輝度低下なく画面を見ることができるようにするためである。
【０１２３】
偏光サングラスは一般に、水平方向に振動する偏光成分を吸収し、鉛直方向に振動する偏光成分を透過するように設計されている。なぜなら、フレネル効果により、反射光強度では一般にＳ波（入射面に対して垂直に振動する偏光）が優勢であり、光源（太陽光、蛍光灯等）から出射して床、机、水面等の水平面で反射した光は、大方、水平方向に振動しているためである。したがって、図８に示すように、偏光サングラス１４０の左右の透光部１４１にはそれぞれ直線偏光素子１４２が設けられ、直線偏光素子１４２の透過軸１４２ｔは一般に、偏光サングラス１４０が使用者に着用された状態で、縦方向に設定される。その結果、偏光サングラス１４０をかけた観察者は、直線偏光素子１１７の透過軸１１７ｔが縦方向になるように設計された液晶表示装置１１１の画面を輝度低下なく観察することができる。
【０１２４】
しかしながら、このような液晶表示装置１１１を表示装置１１０として使用する場合には、輝度が低下する可能性がある。なぜなら、上述のようにアクティブシャッターメガネ１２０の外側偏光素子１２４の透過軸１２４ｔは、１３５°方位及び３１５°方位を結ぶ直線に沿って配置されている。すなわち、透過軸１２４ｔ及び１１７ｔのなす角が４５°前後となり、その結果、明るい立体映像を視認できなくなることがある。
【０１２５】
またこの場合、観察者自身が顔（メガネ１２０）を回転させると画面輝度が大きく変化してしまう。例えば、床に寝転がって画面を視聴するようなシーンも想定すると、このようなシステムは実用に耐えない。
【０１２６】
これらの原因はいずれも、相対角度θで重ねた２枚の直線偏光素子の透過率は、ｃｏｓθの二乗に比例するためである。
【０１２７】
そこで、表示装置１１０として液晶表示装置１１１を利用する場合には、以下の変形例１を採用することが好ましい。
【０１２８】
本変形例では、図９に示すように、液晶表示装置１１１は、観察面側に直線偏光素子１１７及びλ／４板１１８をこの順に有する。λ／４板１１８は、軸の相対角度略４５°で直線偏光素子１１７に貼り付けられている。一方、メガネ１２０は、外側偏光素子１２４の外側にλ／４板１２７を有する。λ／４板１２７は、軸の相対角度略４５°で外側偏光素子１２４に貼り付けられている。このように、本変形例の立体映像認識システムには、一対の円偏光板を含んだ光学系が導入されている。
【０１２９】
これにより、液晶表示装置１１１の画面から出射した光は、まず直線偏光素子１１７の透過軸１１７ｔと平行な直線偏光となり、そしてλ／４板１１８により円偏光に変更される。そして、この円偏光は、λ／４板１２７により外側偏光素子１２４の透過軸１２４ｔと平行な直線偏光に再変換される。そして、この直線偏光は外側偏光素子１２４に入射する。このように、λ／４板１２７へは軸性のない円偏光が入射することになるため、λ／４板１１８及び１２７を設けない場合とは異なり、液晶表示装置１１１及びメガネ１２０の相対方位とは無関係に一定の画面輝度が得られる。掌性の同じ２枚の円偏光素子を重ねると、それらの軸の相対角度によらず透過率が一定となることを応用したものである。
【０１３０】
本変形例の各構成についてより詳細に説明する。
液晶表示装置１１１は、透過型の液晶表示装置であり、図９に示すように、バックライト１１２、直線偏光素子（裏偏光子）１１３、視野角補償フィルム１１４、液晶セル１１５、視野角補償フィルム１１６、直線偏光素子（表偏光子）１１７及びλ／４板１１８を背面側からこの順に備える。
【０１３１】
偏光素子１１３及び１１７は、クロスニコルに配置されている。すなわち、裏偏光子１１３の透過軸１１３ｔと、表偏光子１１７の透過軸１１７ｔとのなす角は、略９０°に設定される。しかしながら、裏偏光子１１３及び表偏光子１１７の透過軸の配置関係は液晶セル１１５のモードに合せて適宜設定でき、パラレルニコルであってもよい。
【０１３２】
液晶セル１１５としては特に限定されず、例えば、ＶＡモード、ＩＰＳモード、フィールドフリンジスイッチング（Ｆｉｅｌｄ  Ｆｒｉｎｇｅ  Ｓｗｉｔｃｈｉｎｇ（ＦＦＳ））モード等の表示モードの液晶セルが挙げられる。液晶セル１１５は、２枚の透明基板と、この２枚の基板の間に狭持された液晶層と、２枚の基板の少なくとも一方に形成された透明電極とを備える。液晶セル１１５の駆動方式としては特に限定されず、パッシブマトリクス方式、プラズマアドレス方式等であってもよいが、なかでもアクティブマトリクス方式が好適である。
【０１３３】
アクティブシャッターメガネ１２０の左右のレンズ部１２１はそれぞれ、図１０に示すように、λ／４板１２７、外側偏光素子１２４、視野角補償フィルム１２６、液晶セル１２３、視野角補償フィルム１２５及び内側偏光素子１２２を外側からこの順に備える。
【０１３４】
そして、外側偏光素子１２４の透過軸１２４ｔと、λ／４板１２７の面内遅相軸１２７ｓとがなす角度をφ１とし、表偏光子１１７の透過軸１１７ｔと、λ／４板１１８の面内遅相軸１１８ｓとがなす角度をφ２と定義するとき、本変形例の立体映像認識システムは、下記式（１）及び（２）、又は、（３）及び（４）を満たす。
４０°≦φ１≦５０°              （１）
４０°≦φ２≦５０°              （２）
１３０°≦φ１≦１４０°          （３）
１３０°≦φ２≦１４０°          （４）
ただし、φ１は、図１１に示すように、λ／４板１２７側（外側）から見て測り、外側偏光素子１２４の透過軸１２４ｔの方向を基準として反時計方向に正と測る。同様に、φ２は、図１２に示すように、λ／４板１１８側（前面側）から見て測り、表偏光子１１７の透過軸１１７ｔの方向を基準として反時計方向に正と測る。
【０１３５】
φ１について、好適な範囲は、４２°≦φ１≦４８°又は１３２°≦φ１≦１３８°であり、より好適な範囲は、４４°≦φ１≦４６°又は１３４°≦φ１≦１３６°である。φ２について、好適な範囲は、４２°≦φ２≦４８°又は１３２°≦φ２≦１３８°であり、より好適な範囲は、４４°≦φ２≦４６°又は１３４°≦φ２≦１３６°である。
【０１３６】
以上、本変形例によれば、メガネ１２０の外側に、入射光（円偏光）の偏光方位とは無関係に透過率が一定となる円偏光子（λ／４板１２７及び外側偏光素子１２４）が設けられ、更に、メガネ１２０の透過率を最大化するために、液晶表示装置１１１から出射される光の偏光状態を円偏光に最適化している。このように、本変形例では、液晶表示装置１１１からは円偏光が出射され、メガネ１２０には円偏光が入射される。そのため、偏光素子１２２、１２４及び液晶セル１２３をどのような方向に配置したとしても、表示が暗くなることがない。すなわち、消費電力の増加を伴うことなく常に明るい立体映像が得られる。また、輝度低下を心配することなく、左右のシャッター部１２１の視野角を左側及び右側で広くなるように容易に設定することができる。
【０１３７】
また、観察者が頭部（メガネ１２０）を回転させても表示が暗くなることがないので、消費電力の増加を伴うことなく常に明るい立体映像が得られる。
【０１３８】
また、本実施形態及び本変形例においては、シャッター機能はメガネ１２０の直線偏光素子１２２、液晶セル１２３及び直線偏光素子１２４、すなわちメガネ１２０自体によって得られる。そのため、メガネ１２０と液晶表示装置１１１の相対的な位置関係には無関係に、常に良好なシャッター効果が得られる。
【０１３９】
以下、参考例及び実施例のアクティブシャッターメガネの視野角特性について説明する。
【０１４０】
（参考例１）
参考例１に係るアクティブシャッターメガネ２２０の左右のシャッター部はそれぞれ、図１３に示すように、直線偏光素子（内側偏光素子）２２２、視野角補償フィルム２２５、液晶セル２２３、視野角補償フィルム２２６及び直線偏光素子（外側偏光素子）２２４を内側からこの順に備える。
【０１４１】
液晶セル２２３の液晶モードは、例えば、ＴＮ又はＳＴＮモードであり、液晶セル２２３は、２枚の透明基板と、この２枚の基板の間に狭持された液晶層と、２枚の基板それぞれに形成された２つの透明電極とを備える。液晶層は、誘電率異方性が正のネマチック液晶分子を含む。この液晶分子は、基板表面では配向処理方向（例えば、ラビング方向）に配向し、液晶層の厚み方向で、例えば略９０°又は略２７０°捩れるように配向している。例えばここでは、液晶分子は、外側から見た時（光の進行方向に対して）、反時計回りに９０°捩れている。すなわち、液晶セル２２３の厚み方向における中央に位置する液晶分子（中央分子）は、図１４の点線の方向、すなわち４５°方位及び２２５°方位を通る方向に沿って配向している。また、外側の基板の配向処理方向は、外側偏光素子２２４の透過軸２２４ｔと略直交し、内側の基板の配向処理方向は、内側偏光素子２２２の透過軸２２２ｔと略直交している。また、図１４に示すように、観察者がメガネ２２０装着時、外側の基板のラビング方向は、９０°方位から２７０°方位を向いており、外側の基板近傍の液晶分子は、この基板から２７０°方位に少し起き上がるように数°程度チルトして配向されている。また一方、内側の基板のラビング方向は、１８０°方位から０°方位を向いており、内側の基板近傍の液晶分子は、この基板から０°方位に数°程度起き上がるように配向されている。したがって、セル厚中央部の中間分子（中央分子）は、その中間方位である４５°方位及び２２５°方位を通る方向に沿って、基板近傍の分子同様、数°程度チルトして配向されている。中央分子のチルトの向きは観察者側から見て４５°方位が外側、２２５°方位が内側となっている。
【０１４２】
また、外側偏光素子２２４の透過軸２２４ｔは、観察者がメガネ２２０装着時、縦方向に設定されている。これは、液晶表示装置１１１の表偏光子１１７の透過軸１１７ｔと、透過軸２２４ｔとを一致させるためである。
【０１４３】
表１に、メガネ２２０の左右のシャッター部の遮光時の光漏れの量（輝度）を測定した結果を示す。なお、光漏れは、拡散板が設けられた所定のバックライト上にメガネ２２０を配置した状態で測定した。表１には、全方位を２４等分した２４方位において、極角０°から６０°まで５°間隔で測定した結果を示す。
【０１４４】
【表１】
0005634503.tif 000002
【０１４５】
その結果、所定の極角（ここでは例えば極角２０°）で比較した場合、メガネ２２０の光漏れの量は、斜め方向、例えば１３５°方位又は３１５°方位よりも左及び右方向の方が多かった。
【０１４６】
図１５、１６及び表２に、メガネ２２０の左右のシャッター部のＣＲ比を測定した結果を示す。ＣＲ比は、電圧無印加時と１５Ｖ印加時との間で算出し、ＴＶ用バックライト上にメガネ２２０を配置した状態で測定した。表２には、全方位を２４等分した２４方位において、極角０°から６０°まで５°間隔で測定した結果を示す。
【０１４７】
【表２】
0005634503.tif 000003
【０１４８】
その結果、所定の極角（ここでは例えば極角１５°）で比較した場合、メガネ２２０のＣＲ比は、斜め方向、例えば１３５°方位又は３１５°方位よりも左及び右方向の方が低かった。
【０１４９】
また、表３に、横方向（０°方位及び１８０°方位を通る方向）、かつ極角±１７°におけるＣＲ比と、縦方向（９０°方位及び２７０°方位を通る方向）、かつ極角±１７°におけるＣＲ比と、４５°方位及び２２５°方位を通る方向、かつ極角±１７°におけるＣＲ比と、１３５°方位及び３１５°方位を通る方向、かつ極角±１７°におけるＣＲ比とを図１６から抽出した結果を示す。
【０１５０】
【表３】
0005634503.tif 000004
【０１５１】
その結果、所定の極角（ここでは例えば極角１７°）で比較した場合、メガネ２２０のＣＲ比は、斜め方向、例えば１３５°方位又は３１５°方位よりも左及び右方向の方が低かった。なお、正面ＣＲ比は、２１００であった。
【０１５２】
図１７及び表４に、メガネ２２０の左右のシャッター部の実駆動時の色味変化を測定した結果を示す。なお、色味変化は、拡散板が設けられた所定のバックライト上にメガネ２２０を配置した状態で測定した。また、ここでは、色味変化としてΔｕ’ｖ’を測定した。図１７において、等高線と同じく、曲線の間隔が広い方が色味変化は少ない。表４には、全方位を２４等分した２４方位において、極角０°から６０°まで５°間隔で測定した結果を示す。
【０１５３】
【表４】
0005634503.tif 000005
【０１５４】
その結果、所定の極角（ここでは例えば極角２０°）で比較した場合、メガネ２２０の色味変化は、斜め方向、例えば４５°方位又は２２５°方位よりも左及び右方向の方が大きかった。
【０１５５】
（実施例１）
実施例１のアクティブシャッターメガネは、参考例１のアクティブシャッターメガネ２２０と同様の構成を有する。ただし、本実施例では、表１の結果を参照し、メガネ２２０の左右のシャッター部の各構成を所定の角度だけ回転した。具体的には、極角２０°において、測定した全方位における光漏れの量の平均（１０．７０ｃｄ／ｍ２）より光漏れの量が小さい方位、例えば１３５°方位（７．６２ｃｄ／ｍ２）が横方向になるように、各構成を回転した。また、１３５°方位の反対の方位である３１５°方位を反対側の横方向に配置した。また、メガネ２２０の４５°方位及び２２５°方位を縦方向に配置した。４５°方位及び２２５°方位のいずれが下に向くように配置しても構わないが、より光漏れの少ない２２５°方位を下方向に配置した。すなわち実施例１のアクティブシャッターメガネでは、メガネ２２０の１３５°方位が左方向となり、メガネ２２０の３１５°方位が右方向となり、メガネ２２０の２２５°方位が下方向となり、メガネ２２０の最も光漏れが大きい４５°方位が上方向となった。また、本実施例では、メガネ２２０の左右のシャッター部を両方とも、同じ方向に同じ角度だけ回転した。
【０１５６】
横方向が長手方向となっている３Ｄ表示装置に右眼用及び左眼用画像を表示し、実施例１のアクティブシャッターメガネをかけて観察したところ、全画面で、二重像の少ない、きれいな立体映像を視認することができた。これは、左右のシャッター部の左側及び右側における光漏れが少ないため、一方のシャッター部が閉じている時に、他方のシャッター部用に表示された画像が当該シャッター部（一方のシャッター部）の左側及び右側から混入しにくくなったためと考えられる。
【０１５７】
立体映像において、一方のシャッター部用に表示された画像が他方のシャッター部用の画像に混入することを一般にクロストークと呼ぶ。立体映像認識システムにおいてはこのクロストークを減らすことが、よりきれいで精度の高い立体映像を観察者に提供するための一つの課題である。
【０１５８】
なお、本実施例では、極角２０°の値を参照して左右のシャッター部の軸方向を決定した。これは、図５を用いて説明したように、視距離３Ｈから観察する観察者の視野角は、横方向に±２０°程度であることを想定したためである。しかしながら、視距離には個人差があるので、極角２０°以外の値を参照してもよく、例えば、視距離１．５Ｈから観察する観察者の視野角は、横方向に±３０°程度となることから、極角３０°の値を参照して左右のシャッター部の軸方向を決定してもよい。
【０１５９】
また、実施例１のアクティブシャッターメガネにおいて、全方位（３６０°）を４つの領域に均等に分割し、各領域における光漏れの量の平均値を算出した。より具体的には、図１８に示すように、−４５°〜４５°方位、４５°〜１３５°方位、１３５°〜２２５°方位及び２２５°〜３１５°方位それぞれにおける光漏れの量の平均値を算出した。なお、これらの計算には、表１の結果を用い、極角２０°の値を用いた。その結果、４５°〜１３５°方位（上方向）における平均値は、１７．１６ｃｄ／ｍ２であり、２２５°〜３１５°方位（下方向）における平均値は、９．６７ｃｄ／ｍ２であったのに対し、１３５°〜２２５°方位（左方向）における平均値は、７．７５ｃｄ／ｍ２であり、−４５°〜４５°方位（右方向）における平均値は、６．７０ｃｄ／ｍ２であった。このように、横方向を中心とした９０°範囲の平均値の方が縦方向を中心とした９０°範囲の平均値よりも遮光時の光漏れが少なくなっていることを確認できた。また、上方向を中心とした４５°〜１３５°方位の９０°範囲における遮光時の光漏れ（平均値）が、他の９０°範囲における遮光時の光漏れ（平均値）と比べて大きく、４つの平均値の中で最も大きくなっていることが確認できた。
【０１６０】
（実施例２）
実施例２のアクティブシャッターメガネは、参考例１のアクティブシャッターメガネ２２０と同様の構成を有する。ただし、本実施例では、表２の結果を参照し、メガネ２２０の左右のシャッター部の各構成を所定の角度だけ回転した。具体的には、極角１５°において、測定した全方位におけるＣＲ比の平均（５３９）よりＣＲ比が高い方位、例えば１３５°方位（６３０）が横方向になるように、各構成を回転した。また、１３５°方位の反対の方位である３１５°方位を反対側の横方向に配置した。また、メガネ２２０の４５°方位及び２２５°方位を縦方向に配置した。４５°方位及び２２５°方位のいずれが下に向くように配置しても構わないが、よりＣＲ比の高い２２５°方位を下方向に配置した。すなわち実施例２のアクティブシャッターメガネでは、メガネ２２０の１３５°方位が左方向となり、メガネ２２０の３１５°方位が右方向となり、メガネ２２０の２２５°方位が下方向となり、メガネ２２０の最もコントラスト比が低い４５°方位が上方向となった。この結果、実施例２のアクティブシャッターメガネのコントラスト比に関する視野角特性は、図１９に示すように、実質的に左右対称となった。すなわち、９０°方位及び２７０°方位を通る軸に対して、実質的に対称となった。また、本実施例では、メガネ２２０の左右のシャッター部を両方とも、同じ方向に同じ角度だけ回転した。
【０１６１】
横方向が長手方向となっている３Ｄ表示装置に右眼用及び左眼用画像を表示し、実施例２のアクティブシャッターメガネをかけて観察したところ、全画面で、二重像の少ない、きれいな立体映像を視認することができた。これは、左右のシャッター部の左側及び右側におけるＣＲ比が高く、光漏れが少ないため、一方のシャッター部が閉じている時に、他方のシャッター部用に表示された画像が当該シャッター部（一方のシャッター部）の左側及び右側から混入しにくくなったためと考えられる。また、画面の左端を見ても右端を見ても二重像は観察されなかったが、これは左右のシャッター部の視野角特性がそれぞれ、９０°方位及び２７０°方位を通る軸に対して実質的に対称、すなわち左右対称となっているためと考えられる。このような観点から、各シャッター部は、視野角特性が９０°方位及び２７０°方位を通る軸に対して対称的になるように配置されることが好ましい。
【０１６２】
また、実施例２のアクティブシャッターメガネにおいて、全方位（３６０°）を４つの領域に均等に分割し、各領域におけるＣＲ比の平均値を算出した。より具体的には、図１８に示したように、−４５°〜４５°方位、４５°〜１３５°方位、１３５°〜２２５°方位及び２２５°〜３１５°方位それぞれにおけるＣＲ比の平均値を算出した。なお、これらの計算には、表２の結果を用い、極角１５°の値を用いた。その結果、４５°〜１３５°方位（上方向）における平均値は、３３３であり、２２５°〜３１５°方位（下方向）における平均値は、４０３であったのに対し、１３５°〜２２５°方位（左方向）における平均値は、５８５であり、−４５°〜４５°方位（右方向）における平均値は、６６３であった。このように、横方向を中心とした９０°範囲の平均値の方が縦方向を中心とした９０°範囲の平均値よりもＣＲ比が高くなっていることを確認できた。また、上方向を中心とした４５°〜１３５°方位の９０°範囲におけるコントラスト比（平均値）が、他の９０°範囲におけるコントラスト比（平均値）と比べて低く、４つの平均値の中で最も低くなっていることが確認できた。
【０１６３】
図３７は、図１９から算出した、極角θ＝１５°、２０°、３０°における方位φ、φ’に対するＣＲ比の曲線を表すグラフである。図３７の上段には、右半分（方位φ＝９０°〜−９０°、方位φ’＝０°〜＋１８０°）の結果を、下段には、左半分（方位φ＝９０°〜２７０°、方位φ’＝０°〜−１８０°）の結果を示す。なお、図３７の曲線は、全方位を２４等分した２４方位におけるＣＲ比の値に基づいて決定した。視野角特性が９０°方位及び２７０°方位を通る軸に対して実質的に対称、すなわち左右対称である場合、任意の同じ極角θにおいて、右半分及び左半分の視野角特性の両曲線が左右対称となる。「左右対称」の判定は、複数の極角θにおいて、曲線の極大値（又は極小値）の大きさ、数、位置［方位φ’］等によって判断される。両曲線の極大（小）点であって互いの大きさが同程度の極大（小）点が、複数の極角θにおいて、任意の［方位φ’］の絶対値±１５°の範囲内に存在する場合は、左右対称と判断される。すなわち、視野角特性が９０°方位及び２７０°方位を通る軸に対して実質的に対称である場合であっても、両曲線は厳密に対称でなくてよい。図３７の例では、θ＝１５°とθ＝２０°では、［方位φ’］の絶対値が７５°±１５°の範囲内に、θ＝３０°では［方位φ’］の絶対値が６０°±１５°の範囲内に同程度の大きさの極大点が存在する。そのため、複数の極角θにおいて、極大点の大きさ、数、位置がおよそ一致していると言え、左右のシャッター部はそれぞれ、左右対称の視野角特性を持つと判断される。
【０１６４】
参考までに、図１５のような左右非対称な視野角特性の場合は、図３７と同様のグラフを作成すると、図３８のようになる。任意の同じ極角θにおける２つの曲線は、極大値の数や位置［方位φ’］がまちまちで、両曲線の形状の対称性が全く見られない。
【０１６５】
（実施例３）
実施例３のアクティブシャッターメガネは、参考例１のアクティブシャッターメガネ２２０と同様の構成を有する。ただし、本実施例では、図１６及び表３の結果を参照し、メガネ２２０の左右のシャッター部の各構成を所定の角度だけ回転した。具体的には、極角±１７°において高いＣＲ比を有する１３５°方位及び３１５°方位が横方向になるように、各構成を回転した。これにより、ＴＮ又はＳＴＮ配向において、中央分子は、縦方向に沿って配向することとなった。この時、１３５°方位及び３１５°方位を通る軸と直交する４５°方位及び２２５°方位が縦方向となるが、よりコントラスト比の低い４５°方位が上方向となるように左右のシャッター部を配置する方が好ましい。
【０１６６】
横方向が長手方向となっている３Ｄ表示装置に右眼用及び左眼用画像を表示し、実施例３のアクティブシャッターメガネをかけて観察したところ、全画面で、二重像の少ない、きれいな立体映像を視認することができた。これは、左右のシャッター部の左側及び右側におけるＣＲ比が高く、光漏れが少ないため、一方のシャッター部が閉じている時に、他方のシャッター部用に表示された画像が当該シャッター部（一方のシャッター部）の左側及び右側から混入しにくくなったためと考えられる。
【０１６７】
（実施例４）
実施例４のアクティブシャッターメガネは、参考例１のアクティブシャッターメガネ２２０と同様の構成を有する。ただし、本実施例では、表４の結果を参照し、メガネ２２０の左右のシャッター部の各構成を所定の角度だけ回転した。具体的には、極角２０°において、測定した全方位における実駆動時の色味変化の平均（０．０１０５）より色味変化が小さい方位、例えば４５°方位（０．００９４）が横方向になるように、各構成を回転した。また、４５°方位の反対の方位である２２５°方位が反対側の横方向に配置した。また、メガネ２２０の１３５°方位及び３１５°方位を縦方向に配置した。１３５°方位及び３１５°方位のいずれが下に向くように配置しても構わないが、より色味変化の少ない３１５°方位を下方向に配置した。すなわち実施例４のアクティブシャッターメガネでは、メガネ２２０の２２５°方位が左方向となり、メガネ２２０の４５°方位が右方向となり、メガネ２２０の３１５°方位が下方向となり、メガネ２２０の１３５°方位が上方向となった。また、本実施例では、メガネ２２０の左右のシャッター部を両方とも、同じ方向に同じ角度だけ回転した。
【０１６８】
横方向が長手方向となっている３Ｄ表示装置に右眼用及び左眼用画像を表示し、実施例４のアクティブシャッターメガネをかけて観察したところ、全画面で、色味変化の少ない、きれいな立体映像を視認することができた。これは、左右のシャッター部の左側及び右側における色味変化が少ないため、左右の眼を横方向により大きく動かしても、色味変化の発生が抑えられたためと考えられる。
【０１６９】
また、実施例４のアクティブシャッターメガネにおいて、全方位（３６０°）を４つの領域に均等に分割し、各領域における光漏れの量の平均値を算出した。より具体的には、図１８に示したように、−４５°〜４５°方位、４５°〜１３５°方位、１３５°〜２２５°方位及び２２５°〜３１５°方位それぞれにおける色味変化の平均値を算出した。なお、これらの計算には、表４の結果を用い、極角２０°の値を用いた。その結果、４５°〜１３５°方位（上方向）における平均値は、０．０１２であり、２２５°〜３１５°方位（下方向）における平均値は、０．０１１であったのに対し、１３５°〜２２５°方位（左方向）における平均値は、０．００８であり、−４５°〜４５°方位（右方向）における平均値は、０．００６であった。このように、横方向を中心とした９０°範囲の平均値の方が縦方向を中心とした９０°範囲の平均値よりも実駆動時の色味変化が少なくなっていることを確認できた。また、上方向を中心とした４５°〜１３５°方位の９０°範囲における色味変化（平均値）が、他の９０°範囲における色味変化（平均値）と比べて大きく、４つの平均値の中で最も大きくなっていることが確認できた。
【０１７０】
なお、アクティブシャッターメガネのＣＲ比が充分な場合や、色味変化よりもその他の特性のほうが画質に大きな影響を与える場合は、それらに主眼をおいて左右のシャッター部の軸方向を決定してもよい。
【０１７１】
以上、実施例１〜４では、アクティブシャッターメガネにλ／４板を設けない場合について説明した。実施例１〜４のメガネは、参考例１のメガネ２２０を所定の角度だけ回転したものであるので、３Ｄ表示装置として液晶表示装置１１１を用いた場合、外側偏光素子２２４の透過軸２２４ｔの方向と、液晶表示装置１１１の表偏光子１１７の透過軸１１７ｔの方向とは、通常、一致しない。そこで、３Ｄ表示装置として液晶表示装置１１１を用いる場合、実施例１〜４のメガネは、上記変形例１と同様に、外側偏光素子２２４の外側にλ／４板を備えることが好ましい。この形態によれば、実施例１〜４のメガネの外側に、入射光（円偏光）の偏光方位とは無関係に透過率が一定となる円偏光子（λ／４板及び外側偏光素子２２４）が設けられ、更に、実施例１〜４のメガネの透過率を最大化するために、液晶表示装置１１１から出射される光の偏光状態を円偏光に最適化している。このように、この形態では、液晶表示装置１１１からは円偏光が出射され、実施例１〜４のメガネには円偏光が入射される。そのため、偏光素子２２２、２２４及び液晶セル２２３がどのような方向に配置されていたとしても、表示が暗くなることがない。すなわち、消費電力の増加を伴うことなく常に明るい立体映像が得られる。また、輝度低下を心配することなく、左右のシャッター部の視野角を左側及び右側で広くなるように容易に設定することができる。また、観察者が頭部（実施例１〜４のメガネ）を回転させても表示が暗くなることがないので、消費電力の増加を伴うことなく常に明るい立体映像が得られる。また、実施例１〜４のメガネと液晶表示装置１１１の相対的な位置関係には無関係に、常に良好なシャッター効果が得られる。
【０１７２】
（実施形態２）
本実施形態のアクティブ方式の立体映像認識システムは、図２０に示すように、実施形態１と同じ映像表示装置（３Ｄ表示装置）１１０と、アクティブシャッターメガネ６２０とを含んで構成される。このように、本実施形態と、実施形態１とでは、アクティブシャッターメガネの構成が異なるだけであるので、それ以外の説明については省略する。
【０１７３】
メガネ６２０は、右眼用シャッター部６２１Ｒ及び左眼用シャッター部６２１Ｌを有する。シャッター部６２１Ｒ及び６２１Ｌの透光及び遮光（開閉）は、交互に切り替わる。図２に示したように、切り替えのタイミングはＲ信号及びＬ信号に同期される。
【０１７４】
シャッター部６２１Ｒは、図２１に示すように、直線偏光素子（内側偏光素子）６２２Ｒ、液晶セル６２３、視野角補償フィルム６２６及び直線偏光素子（外側偏光素子）６２４Ｒを内側からこの順に備える。
【０１７５】
一方、シャッター部６２１Ｌは、図２２に示すように、直線偏光素子（内側偏光素子）６２２Ｌ、液晶セル６２３、視野角補償フィルム６２６及び直線偏光素子（外側偏光素子）６２４Ｌを内側からこの順に備える。
【０１７６】
このように、シャッター部６２１Ｌと、シャッター部６２１Ｒとの相違点は、内側偏光素子及び外側偏光素子の軸の方向が異なる点だけである。
【０１７７】
偏光素子６２２Ｒ及び６２４Ｒは、互いにパラレルニコルに配置されてもよいが、通常は、互いにクロスニコルに配置されている。より具体的には、内側偏光素子６２２Ｒの透過軸６２２Ｒ，ｔと、外側偏光素子６２４Ｒの透過軸６２４Ｒ，ｔとのなす角は、９０°±１５°（好適には９０°±５°）の範囲内に設定されている。内側偏光素子６２２Ｒの透過軸６２２Ｒ，ｔは、１３５°方位及び３１５°方位を通る方向から±１５°（好適には±５°）の範囲内に設定され、外側偏光素子６２４Ｒの透過軸６２４Ｒ，ｔは、４５°方位及び２２５°方位を通る方向から±１５°（好適には±５°）の範囲内に設定されている。なお、これらの数値範囲は境界値を含む。
【０１７８】
偏光素子６２２Ｌ及び６２４Ｌは、互いにパラレルニコルに配置されてもよいが、通常は、互いにクロスニコルに配置されている。より具体的には、内側偏光素子６２２Ｌの透過軸６２２Ｌ，ｔと、外側偏光素子６２４Ｌの透過軸６２４Ｌ，ｔとのなす角は、９０°±１５°（好適には９０°±５°）の範囲内に設定されている。内側偏光素子６２２Ｌの透過軸６２２Ｌ，ｔは、４５°方位及び２２５°方位を通る方向から±１５°（好適には±５°）の範囲内に設定され、外側偏光素子６２４Ｌの透過軸６２４Ｌ，ｔは、１３５°方位及び３１５°方位を通る方向から±１５°（好適には±５°）の範囲内に設定されている。なお、これらの数値範囲は境界値を含む。
【０１７９】
液晶セル６２３の液晶モードは、ＯＣＢモードであり、液晶セル６２３は、２枚の透明基板と、この２枚の基板の間に狭持された液晶層と、２枚の基板それぞれに形成された２つの透明電極とを備える。液晶層は、誘電率異方性が負のネマチック液晶分子を含む。この液晶分子の長軸は、基板表面では配向処理方向（例えば、ラビング方向）に傾いており、この液晶分子は、液晶層全体ではベンド配向している。２枚の基板の配向処理方向はともに、９０°±１５°方位（好適には９０°±５°方位）に設定されている。なお、これらの数値範囲は境界値を含む。
【０１８０】
シャッター部６２１Ｒにおいて、外側の基板の配向処理方向は、外側偏光素子６２４Ｒの透過軸６２４Ｒ，ｔと略４５°のなす角を有し、内側の基板の配向処理方向は、内側偏光素子６２２Ｒの透過軸６２２Ｒ，ｔと略４５°のなす角を有する。より具体的には、外側の基板の配向処理方向と、外側偏光素子６２４Ｒの透過軸６２４Ｒ，ｔとのなす角は、４５°±１５°（好適には４５°±５°）の範囲内に設定され、内側の基板の配向処理方向と、内側偏光素子６２２Ｒの透過軸６２２Ｒ，ｔとのなす角は、４５°±１５°（好適には４５°±５°）の範囲内に設定されている。なお、これらの数値範囲は境界値を含む。
【０１８１】
シャッター部６２１Ｌにおいて、外側の基板の配向処理方向は、外側偏光素子６２４Ｌの透過軸６２４Ｌ，ｔと略４５°のなす角を有し、内側の基板の配向処理方向は、内側偏光素子６２２Ｌの透過軸６２２Ｌ，ｔと略４５°のなす角を有する。より具体的には、外側の基板の配向処理方向と、外側偏光素子６２４Ｌの透過軸６２４Ｌ，ｔとのなす角は、４５°±１５°（好適には４５°±５°）の範囲内に設定され、内側の基板の配向処理方向と、内側偏光素子６２２Ｌの透過軸６２２Ｌ，ｔとのなす角は、４５°±１５°（好適には４５°±５°）の範囲内に設定されている。なお、これらの数値範囲は境界値を含む。
【０１８２】
液晶セル６２３としては、表示装置１１０のフレームレートに同期できる程度の応答速度を確保できるものであれば特に限定されない。液晶セル６２３の液晶モードは、ＯＣＢモードの他、例えば、ＴＮモード、ＳＴＮモード、ＶＡモード、ＩＰＳモード、ＦＬＣモード等であってもよい。
【０１８３】
視野角補償フィルム６２６は、シャッター部６２１Ｒ及び６２１Ｌの遮光時における視野角を補償する機能を有し、例えば、２軸性位相差フィルムを含む。
【０１８４】
以上のように、シャッター部６２１Ｒ及び６２１Ｌは、互いに実質的に対称な構成を有する。より詳細には、内側偏光素子６２２Ｒの透過軸６２２Ｒ，ｔと、内側偏光素子６２２Ｌの透過軸６２２Ｌ，ｔとは、互いに実質的に対称に配置され、外側偏光素子６２４Ｒの透過軸６２４Ｒ，ｔと、外側偏光素子６２４Ｌの透過軸６２４Ｌ，ｔとは、互いに実質的に対称に配置され、シャッター部６２１Ｒの液晶層の配向（配向方向）と、シャッター部６２１Ｌの液晶層の配向（配向方向）とは、互いに実質的に対称であり、シャッター部６２１Ｒの視野角補償フィルム６２６の光学軸と、シャッター部６２１Ｌの視野角補償フィルム６２６の光学軸とは、互いに実質的に対称に配置されている。なお、シャッター部６２１Ｒ及び６２１Ｌの間を縦方向に走る中心線が対称軸となる。このように、シャッター部６２１Ｒと、シャッター部６２１Ｌとは、視野角特性に影響を与える要素が対称に設定されていること以外は、同じであり、互いに対称的な構成を有するように配置される。また、シャッター部６２１Ｒの液晶層の液晶分子は、シャッター部６２１Ｌの液晶層の液晶分子と対称的に配向している。
【０１８５】
一般的に、液晶を用いたアクティブシャッターメガネは、液晶配向の非対称性に起因して、上下左右で非対称な視野角特性を持つ。本実施形態においても、シャッター部６２１Ｒは、例えば図２３に示すように、上下左右で非対称な視野角特性（ＣＲ特性）を有し、シャッター部６２１Ｌは、例えば図２４に示すように、上下左右で非対称な視野角特性（ＣＲ特性）を有している。
【０１８６】
テレビ、映画館のスクリーン等のように、表示装置１１０は一般的に、図２５に示すように、横長の画面６１９を備える。また、観察者が正面から立体映像を観察する場合には、シャッター部６２１Ｒ及び６２１Ｌには、横方向に広く、かつ対称な視野角特性が要求される。
【０１８７】
そこで、本実施形態では、メガネ６２０装着時、シャッター部６２１Ｒ及び６２１Ｌの視野角がそれぞれ、上側及び下側よりも左側及び右側の方が広い。また、シャッター部６２１Ｒ及び６２１Ｌの視野角がそれぞれ、シャッター部６２１Ｒ及び６２１Ｌの連結部６２８側、すなわちメガネ６２０のブリッジ側及びノーズパッド側よりも、その反対側（外側）、すなわちメガネ６２０のテンプル側の方が広い。更に、シャッター部６２１Ｒの視野角特性は、シャッター部６２１Ｌの視野角特性と実質的に対称である。すなわち、シャッター部６２１Ｒ及びシャッター部６２１Ｌは、両者の視野角特性が対称的になるように配置されている。したがって、本実施形態によれば、観察者が正面から立体映像を観察する場合に要求される視野角特性を満たすことができる。
【０１８８】
また、シャッター部６２１Ｒ及び６２１Ｌの遮光状態における光漏れを、４以上の方位、かつ所定の極角で測定した時、シャッター部６２１Ｒの−９０°〜９０°方位における光漏れの量の平均は、シャッター部６２１Ｒの９０°〜２７０°方位における光漏れの量の平均よりも小さく、シャッター部６２１Ｌの９０°〜２７０°方位における光漏れの量の平均は、シャッター部６２１Ｌの−９０°〜９０°方位における光漏れの量の平均よりも小さいことが好ましい。
【０１８９】
また、シャッター部６２１Ｒ及び６２１Ｌの遮光状態における光漏れを、８以上の方位、かつ所定の極角で測定した時、シャッター部６２１Ｒの−４５°〜４５°方位における光漏れの量の平均は、シャッター部６２１Ｒの４５°〜１３５°方位及び２２５°〜３１５°方位における光漏れの量の平均、すなわち、シャッター部６２１Ｒの４５°〜１３５°方位における光漏れの量の平均及びシャッター部６２１Ｒの２２５°〜３１５°方位における光漏れの量の平均よりも小さく、シャッター部６２１Ｌの１３５°〜２２５°方位における光漏れの量の平均は、シャッター部６２１Ｌの４５°〜１３５°方位及び２２５°〜３１５°方位における光漏れの量の平均、すなわち、シャッター部６２１Ｌの４５°〜１３５°方位における光漏れの量の平均及びシャッター部６２１Ｌの２２５°〜３１５°方位における光漏れの量の平均よりも小さいことが好ましい。
【０１９０】
これらにより、全画面で、二重像の少ない、きれいな立体映像を視認することができる。
【０１９１】
また、シャッター部６２１Ｒ及び６２１Ｌのコントラスト比を、４以上の方位、かつ所定の極角で測定した時、シャッター部６２１Ｒの−９０°〜９０°方位におけるコントラスト比の平均は、シャッター部６２１Ｒの９０°〜２７０°方位におけるコントラスト比の平均よりも高く、シャッター部６２１Ｌの９０°〜２７０°方位におけるコントラスト比の平均は、シャッター部６２１Ｌの−９０°〜９０°方位におけるコントラスト比の平均よりも高いことが好ましい。
【０１９２】
また、シャッター部６２１Ｒ及び６２１Ｌのコントラスト比を、８以上の方位、かつ所定の極角で測定した時、シャッター部６２１Ｒの−４５°〜４５°方位におけるコントラスト比の平均は、シャッター部６２１Ｒの４５°〜１３５°方位及び２２５°〜３１５°方位におけるコントラスト比の平均、すなわち、シャッター部６２１Ｒの４５°〜１３５°方位におけるコントラスト比の平均及びシャッター部６２１Ｒの２２５°〜３１５°方位におけるコントラスト比の平均よりも高く、シャッター部６２１Ｌの１３５°〜２２５°方位におけるコントラスト比の平均は、シャッター部６２１Ｌの４５°〜１３５°方位及び２２５°〜３１５°方位におけるコントラスト比の平均、すなわち、シャッター部６２１Ｌの４５°〜１３５°方位におけるコントラスト比の平均及びシャッター部６２１Ｌの２２５°〜３１５°方位におけるコントラスト比の平均よりも高いことが好ましい。
【０１９３】
これらにより、全画面で、二重像の少ない、きれいな立体映像を視認することができる。
【０１９４】
また、シャッター部６２１Ｒ及び６２１Ｌを実際に駆動させた状態でのシャッター部６２１Ｒ及び６２１Ｌの色味変化を、４以上の方位、かつ所定の極角で測定した時、シャッター部６２１Ｒの−９０°〜９０°方位における色味変化の平均は、シャッター部６２１Ｒの９０°〜２７０°方位における色味変化の平均よりも小さく、シャッター部６２１Ｌの９０°〜２７０°方位における色味変化の平均は、シャッター部６２１Ｌの−９０°〜９０°方位における色味変化の平均よりも小さいことが好ましい。
【０１９５】
また、シャッター部６２１Ｒ及び６２１Ｌを実際に駆動させた状態でのシャッター部６２１Ｒ及び６２１Ｌの色味変化を、８以上の方位、かつ所定の極角で測定した時、シャッター部６２１Ｒの−４５°〜４５°方位における色味変化の平均は、シャッター部６２１Ｒの４５°〜１３５°方位及び２２５°〜３１５°方位における色味変化の平均、すなわち、シャッター部６２１Ｒの４５°〜１３５°方位における色味変化の平均及びシャッター部６２１Ｒの２２５°〜３１５°方位における色味変化の平均よりも小さく、シャッター部６２１Ｌの１３５°〜２２５°方位における色味変化の平均は、シャッター部６２１Ｌの４５°〜１３５°方位及び２２５°〜３１５°方位における色味変化の平均、すなわち、シャッター部６２１Ｌの４５°〜１３５°方位における色味変化の平均及びシャッター部６２１Ｌの２２５°〜３１５°方位における色味変化の平均よりも小さいことが好ましい。
【０１９６】
これらにより、全画面で、色味変化の少ない、きれいな立体映像を視認することができる。
【０１９７】
ただし、上記４以上の方位及び８以上の方位は、全方位内で均等に配置される。
【０１９８】
なお、上記４以上の方位は、８以上の方位であることが好ましく、１２以上の方位であることがより好ましく、２４以上の方位であることが更に好ましい。
【０１９９】
また、上記８以上の方位は、１２以上の方位であることが好ましく、２４以上の方位であることがより好ましい。
【０２００】
また、上記所定の極角は特に限定されないが、通常は０°よりも大きく、９０°よりも小さい範囲内で決定され、好適には５°〜４５°（より好適には８°〜３０°）の範囲内で決定される。
【０２０１】
本実施形態で評価され得る視野角特性としては、下記の角度特性も挙げられる。
・シャッター部が透光状態の時の色味変化
・シャッター部が透光状態の時の透過率特性
・シャッター部が実際に駆動している時の透過率
・シャッター部が実際に駆動している時のクロストーク量
【０２０２】
実施形態１と同様に、色味変化としては、具体的には、例えば、Δｕ’ｖ’、ΔＣ＊ａｂ等の色差が挙げられる。
【０２０３】
また、特に時分割で右眼用及び左眼用画像が表示されることで立体映像を視認するシステムを評価する上では、アクティブシャッターメガネを実際に駆動した状態で、その視野角特性を評価することが好ましい。
【０２０４】
更に、表示装置１１０として実施形態１で説明した上記液晶表示装置１１１を利用する場合には、実施形態１と同様の観点から、以下の変形例２を採用することが好ましい。
【０２０５】
なお、液晶表示装置１１１は、図９に示したように、バックライト１１２、直線偏光素子（裏偏光子）１１３、視野角補償フィルム１１４、液晶セル１１５、視野角補償フィルム１１６、直線偏光素子（表偏光子）１１７及びλ／４板１１８を背面側からこの順に備える。
【０２０６】
本変形例では、図２６及び２７に示すように、シャッター部６２１Ｒ及び６２１Ｌはそれぞれ、λ／４板６２７Ｒ及び６２７Ｌを有する。λ／４板６２７Ｒ及び６２７Ｌはそれぞれ、軸の相対角度略４５°で外側偏光素子６２４Ｒ及び６２４Ｌに貼り付けられている。本変形例の立体映像認識システムには、一対の円偏光板を含んだ光学系が導入されている。
【０２０７】
これにより、液晶表示装置１１１の画面から出射した光は、まず直線偏光素子１１７の透過軸１１７ｔと平行な直線偏光となり、そしてλ／４板１１８により円偏光に変更される。そして、シャッター部６２１Ｒに入射した円偏光は、λ／４板６２７Ｒにより外側偏光素子６２４Ｒの透過軸６２４Ｒ，ｔと平行な直線偏光に再変換される。そして、この直線偏光は外側偏光素子６２４Ｒに入射する。また、シャッター部６２１Ｌに入射した円偏光は、λ／４板６２４Ｌにより外側偏光素子６２４Ｌの透過軸６２４Ｌ，ｔと平行な直線偏光に再変換される。そして、この直線偏光は外側偏光素子６２４Ｌに入射する。このように、λ／４板６２７Ｒ及び６２７Ｌへは軸性のない円偏光が入射することになるため、λ／４板１１８、６２７Ｒ及び６２７Ｌを設けない場合とは異なり、液晶表示装置１１１及びメガネ６２０の相対方位とは無関係に一定の画面輝度が得られる。
【０２０８】
本変形例に係るメガネ６２０のシャッター部６２１Ｒは、図２６に示すように、外側偏光素子６２４Ｒの外側にλ／４板６２７Ｒを有する。また、本変形例に係るメガネ６２０のシャッター部６２１Ｌは、図２７に示すように、外側偏光素子６２４Ｌの外側にλ／４板６２７Ｌを有する。
【０２０９】
そして、外側偏光素子６２４Ｒの透過軸６２４Ｒ，ｔ及びλ／４板６２７Ｒの面内遅相軸６２７Ｒ，ｓがなす角度と、外側偏光素子６２４Ｌの透過軸６２４Ｌ，ｔ及びλ／４板６２７Ｌの面内遅相軸６２７Ｌ，ｓがなす角度とをいずれもφ３とし、表偏光子１１７の透過軸１１７ｔ及びλ／４板１１８の面内遅相軸１１８ｓがなす角度をφ２と定義するとき、本変形例の立体映像認識システムは、下記式（５）及び（６）、又は、（７）及び（８）を満たす。
４０°≦φ３≦５０°              （５）
４０°≦φ２≦５０°              （６）
１３０°≦φ３≦１４０°          （７）
１３０°≦φ２≦１４０°          （８）
ただし、φ３は、λ／４板６２７Ｒ及び６２７Ｌ側（外側）から見て測り、外側偏光素子６２４Ｒ及び６２４Ｌの透過軸６２４Ｒ，ｔ及び６２４Ｌ，ｔの方向を基準として反時計方向に正と測る。同様に、φ２は、λ／４板１１８側（前面側）から見て測り、表偏光子１１７の透過軸１１７ｔの方向を基準として反時計方向に正と測る。
【０２１０】
φ３について、好適な範囲は、４２°≦φ３≦４８°又は１３２°≦φ３≦１３８°であり、より好適な範囲は、４４°≦φ３≦４６°又は１３４°≦φ３≦１３６°である。φ２について、好適な範囲は、４２°≦φ２≦４８°又は１３２°≦φ２≦１３８°であり、より好適な範囲は、４４°≦φ２≦４６°又は１３４°≦φ２≦１３６°である。
【０２１１】
以上、本変形例によれば、実施形態１の変形例１と同様に、消費電力の増加を伴うことなく常に明るい立体映像が得られる。また、輝度低下を心配することなく、シャッター部６２１Ｒ及び６２１Ｌの視野角特性を上述のように容易に設定することができる。
【０２１２】
また、観察者が頭部（メガネ６２０）を回転させても表示が暗くなることがないので、消費電力の増加を伴うことなく常に明るい立体映像が得られる。
【０２１３】
また、本実施形態及び本変形例においては、シャッター機能はメガネ６２０自体によって得られる。そのため、メガネ６２０と液晶表示装置１１１の相対的な位置関係には無関係に、常に良好なシャッター効果が得られる。
【０２１４】
ただし、本変形例においては、λ／４板を除く構成が、シャッター部６２１Ｒ及び６２１Ｌの間で互いに実質的に対称となる。
【０２１５】
（実施形態３）
本実施形態のアクティブ方式の立体映像認識システムは、図２８に示すように、実施形態１と同じ映像表示装置（３Ｄ表示装置）１１０と、アクティブシャッターメガネ７２０とを含んで構成される。このように、本実施形態と、実施形態１とでは、アクティブシャッターメガネの構成が異なるだけであるので、それ以外の説明については省略する。
【０２１６】
メガネ７２０は、右眼用シャッター部７２１Ｒ及び左眼用シャッター部７２１Ｌを有する。シャッター部７２１Ｒ及び７２１Ｌの透光及び遮光（開閉）は、交互に切り替わる。図２に示したように、切り替えのタイミングはＲ信号及びＬ信号に同期される。
【０２１７】
シャッター部７２１Ｒは、図２９に示すように、直線偏光素子（内側偏光素子）７２２、視野角補償フィルム７２５、液晶セル７２３Ｒ、視野角補償フィルム７２６及び直線偏光素子（外側偏光素子）７２４を内側からこの順に備える。
【０２１８】
一方、シャッター部７２１Ｌは、図３０に示すように、直線偏光素子（内側偏光素子）７２２、視野角補償フィルム７２５、液晶セル７２３Ｌ、視野角補償フィルム７２６及び直線偏光素子（外側偏光素子）７２４を内側からこの順に備える。
【０２１９】
このように、シャッター部７２１Ｌ及びシャッター部７２１Ｒの相違点は、異なる液晶セルを有する点だけである。
【０２２０】
シャッター部７２１Ｒ及び７２１Ｌにおいて、偏光素子７２２及び７２４は、互いにパラレルニコルに配置されてもよいが、通常は、互いにクロスニコルに配置されている。より具体的には、内側偏光素子７２２の透過軸７２２ｔと、外側偏光素子７２４の透過軸７２４ｔとのなす角は、９０°±１５°（好適には９０°±５°）の範囲内に設定されている。内側偏光素子７２２の透過軸７２２ｔは、横方向から±１５°（好適には±５°）の範囲内に設定され、外側偏光素子７２４の透過軸７２４ｔは、縦方向から±１５°（好適には±５°）の範囲内に設定されている。なお、これらの数値範囲は境界値を含む。
【０２２１】
液晶セル７２３Ｒの液晶モードは、ＴＮモードであり、液晶セル７２３Ｒは、２枚の透明基板と、この２枚の基板の間に狭持された液晶層と、２枚の基板それぞれに形成された２つの透明電極とを備える。液晶層は、誘電率異方性が正のネマチック液晶分子を含む。この液晶分子は、基板表面では配向処理方向（例えば、ラビング方向）に配向し、液晶層の厚み方向で略９０°捩れるように配向している。また、この液晶分子は、外側から見た時（光の進行方向に対して）、反時計回りに捩れている。また、外側の基板の配向処理方向は、外側偏光素子７２４の透過軸７２４ｔと略直交し、内側の基板の配向処理方向は、内側偏光素子７２２の透過軸７２２ｔと略直交している。より具体的には、外側の基板の配向処理方向と、外側偏光素子７２４の透過軸７２４ｔとのなす角は、９０°±１５°（好適には９０°±５°）の範囲内に設定され、内側の基板の配向処理方向と、内側偏光素子７２２の透過軸７２２ｔとのなす角は、９０°±１５°（好適には９０°±５°）の範囲内に設定されている。なお、これらの数値範囲は境界値を含む。
【０２２２】
液晶セル７２３Ｒ及び７２３Ｌの相違点は、ネマチック液晶分子の捩れる方向が異なる点のみである。すなわち、液晶セル７２３Ｌでは、ネマチック液晶分子は、外側から見た時（光の進行方向に対して）、時計回りに捩れている。
【０２２３】
液晶セル７２３Ｒ及び７２３Ｌとしては、表示装置１１０のフレームレートに同期できる程度の応答速度を確保できるものであれば特に限定されない。液晶セル７２３Ｒ及び７２３Ｌの液晶モードは、ＴＮモードの他、例えば、ＯＣＢモード、ＳＴＮモード、ＶＡモード、ＩＰＳモード、ＦＬＣモード等であってもよい。
【０２２４】
視野角補償フィルム７２５及び７２６は、シャッター部７２１Ｒ及び７２１Ｌの遮光時における視野角を補償する機能を有し、例えば、ネガティブＣプレートを含む。
【０２２５】
以上のように、シャッター部７２１Ｒ及び７２１Ｌは、互いに実質的に対称な構成を有する。より詳細には、液晶セル７２３Ｒの液晶層の配向（配向方向）と、液晶セル７２３Ｌの液晶層の配向（配向方向）とは、互いに実質的に対称である。なお、シャッター部７２１Ｒ及び７２１Ｌの間を縦方向に走る中心線が対称軸となる。このように、シャッター部７２１Ｒと、シャッター部７２１Ｌとは、視野角特性に影響を与える要素が対称に設定されていること以外は、同じであり、互いに対称的な構成を有するように配置される。また、シャッター部７２１Ｒの液晶層の液晶分子は、シャッター部７２１Ｌの液晶層の液晶分子と対称的に配向している。
【０２２６】
一般的に、液晶を用いたアクティブシャッターメガネは、液晶配向の非対称性に起因して、上下左右で非対称な視野角特性を持つ。本実施形態においても、シャッター部７２１Ｒは、例えば図３１に示すように、上下左右で非対称な視野角特性（ＣＲ特性）を有し、シャッター部７２１Ｌは、例えば図３２に示すように、上下左右で非対称な視野角特性（ＣＲ特性）を有している。
【０２２７】
観察者は、提供される３Ｄ映像に対して両眼が結像する焦点距離の違いによって立体感を感じている。図３３を用いてこの原理を説明する。通常の２Ｄ映像は、表示装置１１０の表示面Ｆｍで焦点を結ぶように提供されている。一方、３Ｄ映像は、表示装置１１０の表示面より手前のＦｓで焦点を結ぶように提供されたり、表示面より奥のＦｌで焦点を結ぶように提供されたりする。前者の場合は映像が表示面より手前にあるように感じ、後者の場合は映像が表示面より奥にあるように感じる。人は、およそ顔の正面方向でものの注視を行う。そのため、注視する物体を右眼と左眼とで対称的に捉える場合が多い。したがって、両眼前方に配置されるメガネ７２０においては、シャッター部７２１Ｒの視野角特性と、シャッター部７２１Ｌの視野角特性とが対称であることが好ましい。
【０２２８】
そこで、本実施形態では、メガネ７２０の視野角特性が左右対称になっている。すなわち、シャッター部７２１Ｒの視野角特性は、シャッター部７２１Ｌの視野角特性と実質的に対称であり、シャッター部７２１Ｌの視野角特性を９０°方位及び２７０°方位を通る軸に対して反転した特性と実質的に同じである。なお、シャッター部７２１Ｒ及び７２１Ｌの間を縦方向に走る中心線が対称軸となる。また、メガネ７２０装着時、シャッター部７２１Ｒ及び７２１Ｌの視野角がそれぞれ、上側及び下側よりも左側及び右側の方が広い。したがって、本実施形態によれば、観察者が正面から立体映像を観察する場合に要求される視野角特性を満たすことができる。
【０２２９】
シャッター部７２１Ｒ及びシャッター部７２１Ｌの視野角特性が実質的に対称であるかどうかは、シャッター部の視野角特性が９０°方位及び２７０°方位を通る軸に対して実質的に対称であるか否かを判断するために作成したグラフ（曲線）と同様のグラフ（曲線）を描いて判断される。シャッター部７２１Ｒ及びシャッター部７２１Ｌの視野角特性が実質的に対称な場合は、任意の同じ極角θにおいて、シャッター部７２１Ｌの右半分とシャッター部７２１Ｒの左半分との２つの曲線が左右対称となる。また、任意の同じ極角θにおいて、シャッター部７２１Ｌの左半分とシャッター部７２１Ｒの右半分との２つの曲線が左右対称となる。「左右対称」の判定は、曲線の極大値（又は極小値）の大きさ、数、位置［方位φ’］等によって判断される。両曲線の極大（小）点であって互いの大きさが同程度の極大（小）点が、複数の極角θにおいて、任意の［方位φ’］の絶対値±１５°の範囲内に存在する場合は、左右対称と判断される。すなわち、シャッター部７２１Ｒ及びシャッター部７２１Ｌの視野角特性が実質的に対称である場合であっても、両曲線は厳密に対称でなくてよい。
【０２３０】
このような観点から、シャッター部７２１Ｒ及びシャッター部７２１Ｌの視野角特性は、例えば、以下の条件を満たすことが好ましい。
【０２３１】
まず、各シャッター部７２１Ｒ、７２１ＬのＣＲ比を１２以上の方位（ただし、これらの方位は全方位内で均等に配置される）かつ複数の所定の極角において測定する。次に、該測定結果から、方位に対する各シャッター部のＣＲ比の曲線を表すグラフを作成する。そして、図３９に示すように、右眼用シャッター部７２１Ｒの右半分（方位φ’が０°から時計回りに＋１８０°までの範囲）と、左眼用シャッター部７２１Ｌの左半分（方位φ’が０°から反時計回りに−１８０°までの範囲）とにおいて、各極角の各曲線についてＣＲ比の大きさが同程度の極大（又は極小）点を比較し、その結果、両極大（又は極小）点の｜φ’｜（方位φ’の絶対値）の差が３０°以下であることが好ましい。また、左眼用シャッター部７２１Ｌの右半分と、右眼用シャッター部７２１Ｒの左半分とにおいて、各極角の各曲線についてＣＲ比の大きさが同程度の極大（又は極小）点を比較し、その結果、両極大（又は極小）点の｜φ’｜（方位φ’の絶対値）の差が３０°以下であることが好ましい。
【０２３２】
なお、測定される視野角特性はＣＲ比に特に限定されない。
【０２３３】
また、上記１２以上の方位は、２４以上の方位であることが好ましい。
【０２３４】
また、上記複数の所定の極角は特に限定されないが、通常は０°よりも大きく、９０°よりも小さい範囲内で決定され、好適には５°〜４５°（より好適には１５°〜３０°）の範囲内で決定される。更に、上記複数の所定の極角の数は特に限定されないが、通常は、２以上、５以下であり、好適には３以上、４以下である。
【０２３５】
また、上記比較において、ＣＲ比の大きさが同程度である２つの極大（又は極小）点のＣＲ比の差は、１００以下であることが好ましく、５０以下であることがより好ましい。また、両者のＣＲ比は、任意のＣＲ比（例えば、両者のＣＲ比の平均値）の±１０％（より好適には±５％）の範囲内にあることが好ましい。
【０２３６】
更に、比較対象となる極大（又は極小）点が複数存在する場合は、少なくとも一組の極大（又は極小）点が上述の条件を満たせばよく、比較対象となる全ての極大（又は極小）点が上述の条件を満たす必要はない。
【０２３７】
本実施形態で評価され得る視野角特性としては、実施形態１及び２と同様に、下記の角度特性が挙げられる。
・シャッター部が遮光状態の時の光漏れ
・シャッター部が透光状態の時の色味変化
・シャッター部が透光状態の時の透過率特性
・シャッター部の透光及び遮光状態間のＣＲ比
・シャッター部が実際に駆動している時の色味変化
・シャッター部が実際に駆動している時の透過率
・シャッター部が実際に駆動している時のクロストーク量
【０２３８】
実施形態１と同様に、色味変化としては、具体的には、例えば、Δｕ’ｖ’、ΔＣ＊ａｂ等の色差が挙げられる。
【０２３９】
また、特に時分割で右眼用及び左眼用画像が表示されることで立体映像を視認するシステムを評価する上では、アクティブシャッターメガネを実際に駆動した状態で、その視野角特性を評価することが好ましい。
【０２４０】
更に、表示装置１１０として実施形態１で説明した上記液晶表示装置１１１を利用する場合には、実施形態１と同様の観点から、以下の変形例３を採用することが好ましい。
【０２４１】
なお、液晶表示装置１１１は、図９に示したように、バックライト１１２、直線偏光素子（裏偏光子）１１３、視野角補償フィルム１１４、液晶セル１１５、視野角補償フィルム１１６、直線偏光素子（表偏光子）１１７及びλ／４板１１８を背面側からこの順に備える。
【０２４２】
本変形例では、図３４及び３５に示すように、シャッター部７２１Ｒ及び７２１Ｌはそれぞれ、λ／４板７２７を有する。λ／４板７２７はそれぞれ、軸の相対角度略４５°で外側偏光素子７２４に貼り付けられている。本変形例の立体映像認識システムには、一対の円偏光板を含んだ光学系が導入されている。
【０２４３】
これにより、液晶表示装置１１１の画面からの出射した光は、まず直線偏光素子１１７の透過軸１１７ｔと平行な直線偏光となり、そしてλ／４板１１８により円偏光に変更される。そして、シャッター部７２１Ｒ及び７２１Ｌに入射した円偏光は、λ／４板７２７により外側偏光素子７２４の透過軸１２４ｔと平行な直線偏光に再変換される。そして、この直線偏光は外側偏光素子７２４に入射する。このように、λ／４板７２７へは軸性のない円偏光が入射することになるため、λ／４板１１８及び７２７を設けない場合とは異なり、液晶表示装置１１１及びメガネ７２０の相対方位とは無関係に一定の画面輝度が得られる。
【０２４４】
本変形例に係るメガネ７２０のシャッター部７２１Ｒ及び７２１Ｌは、図３４及び３５に示すように、外側偏光素子７２４の外側にλ／４板７２７を有する。
【０２４５】
そして、外側偏光素子７２４の透過軸７２４ｔ及びλ／４板７２７の面内遅相軸７２７ｓがなす角度をφ４とし、表偏光子１１７の透過軸１１７ｔ及びλ／４板１１８の面内遅相軸１１８ｓがなす角度をφ２と定義するとき、本変形例の立体映像認識システムは、下記式（９）及び（１０）、又は、（１１）及び（１２）を満たす。
４０°≦φ４≦５０°              （９）
４０°≦φ２≦５０°              （１０）
１３０°≦φ４≦１４０°          （１１）
１３０°≦φ２≦１４０°          （１２）
ただし、φ４は、λ／４板７２７側（外側）から見て測り、外側偏光素子７２４の透過軸７２４ｔの方向を基準として反時計方向に正と測る。同様に、φ２は、λ／４板１１８側（前面側）から見て測り、表偏光子１１７の透過軸１１７ｔの方向を基準として反時計方向に正と測る。
【０２４６】
φ４について、好適な範囲は、４２°≦φ４≦４８°又は１３２°≦φ４≦１３８°であり、より好適な範囲は、４４°≦φ４≦４６°又は１３４°≦φ４≦１３６°である。φ２について、好適な範囲は、４２°≦φ２≦４８°又は１３２°≦φ２≦１３８°であり、より好適な範囲は、４４°≦φ２≦４６°又は１３４°≦φ２≦１３６°である。
【０２４７】
以上、本変形例によれば、実施形態１の変形例１と同様に、消費電力の増加を伴うことなく常に明るい立体映像が得られる。また、輝度低下を心配することなく、シャッター部７２１Ｒ及び７２１Ｌの視野角特性を上述のように容易に設定することができる。
【０２４８】
また、観察者が頭部（メガネ７２０）を回転させても表示が暗くなることがないので、消費電力の増加を伴うことなく常に明るい立体映像が得られる。
【０２４９】
また、本実施形態及び本変形例においては、シャッター機能はメガネ７２０自体によって得られる。そのため、メガネ７２０と液晶表示装置１１１の相対的な位置関係には無関係に、常に良好なシャッター効果が得られる。
【０２５０】
ただし、本変形例においては、λ／４板を除く構成が、シャッター部７２１Ｒ及び７２１Ｌの間で互いに実質的に対称となる。
【０２５１】
以下、実施形態１〜３の構成部材について詳述する。
直線偏光素子としては、典型的にはポリビニルアルコール（ＰＶＡ）フィルムに二色性を有するヨウ素錯体等の異方性材料を吸着配向させたものが挙げられる。通常は、機械強度や耐湿熱性を確保するために、ＰＶＡフィルムの両側にトリアセチルセルロース（ＴＡＣ）フィルム等の保護フィルムをラミネートして実用に供される。
【０２５２】
λ／４板等の複屈折層の材料については特に限定されず、例えば、ポリマーフィルムを延伸したものを用いることができる。ポリマーとしては、例えば、ポリカーボネート、ポリサルフォン、ポリエーテルサルフォン、ポリエチレンテレフタレート、ポリエチレン、ポリビニルアルコール、ノルボルネン、トリアセチルセルロース、ジアチルセルロース等が挙げられる。
【０２５３】
λ／４板の形成方法は特に限定されないが、λ／４板は、遅相軸が直線偏光素子の透過軸と所定のなす角を有するように、当該直線偏光素子と積層される。したがって、λ／４板は、ロールフィルムの流れ方向に対して斜め方向に延伸配向させる斜め延伸法を用いて形成されることが好ましい。
【０２５４】
λ／４板は、直線偏光素子に隣接することが好ましい。すなわち、λ／４板と直線偏光素子との間には複屈折層が設けられないことが好ましい。これにより、直線偏光の偏光状態をより容易に所望の状態に変換することができる。ただしこのとき、λ／４板と直線偏光素子との間には等方性フィルムが配置されてもよい。また、λ／４板と直線偏光素子との間に複屈折層が設けられる場合でも、該複屈折層の遅相軸を、該直線偏光素子の透過軸と略平行又は略直交をなす方向に設定することで、該複屈折層による偏光変換機能を実質的に無効化し、λ／４板と直線偏光素子との間に複屈折層が設けられていない場合と同様の効果を得ることができる。
【０２５５】
なお、複屈折層とは、光学的異方性を有する層のことであり、複屈折層は、面内位相差Ｒの絶対値及び厚み方向位相差Ｒｔｈの絶対値のいずれか一方が１０ｎｍ以上の値を有するものを意味し、好ましくは２０ｎｍ以上の値を有する。
【０２５６】
また、等方性フィルムとは、面内位相差Ｒの絶対値及び厚み方向位相差Ｒｔｈの絶対値のいずれもが１０ｎｍ以下の値を有するものを意味し、好ましくは５ｎｍ以下の値を有する。
【０２５７】
本願は、２０１０年４月９日に出願された日本国特許出願２０１０−９０７０３号を基礎として、パリ条約ないし移行する国における法規に基づく優先権を主張するものである。該出願の内容は、その全体が本願中に参照として組み込まれている。
【符号の説明】
【０２５８】
１１０：映像表示装置
１１１：液晶表示装置
１１２：バックライト
１１３、１１７、１２２、１２４、１４２、２２２、２２４、６２２Ｒ、６２２Ｌ、６２４Ｒ、６２４Ｌ、７２２、７２４：直線偏光素子
１１４、１１６、１２５、１２６、２２５、２２６、６２６、７２５、７２６：視野角補償フィルム
１１５、１２３、２２３、６２３、７２３Ｒ、７２３Ｌ：液晶セル
１１８、１２７、６２７Ｒ、６２７Ｌ、７２７：λ／４板
１１９、６１９、７１９：画面
１２０、２２０、６２０、７２０：アクティブシャッターメガネ
１２１、６２１Ｒ、６２１Ｌ、７２１Ｒ、７２１Ｌ：シャッター部
１４０：偏光サングラス
１４１：透光部
６２８：連結部
【図１】
0005634503.tif 000006
【図２】
0005634503.tif 000007
【図３】
0005634503.tif 000008
【図４】
0005634503.tif 000009
【図５】
0005634503.tif 000010
【図６】
0005634503.tif 000011
【図７】
0005634503.tif 000012
【図８】
0005634503.tif 000013
【図９】
0005634503.tif 000014
【図１０】
0005634503.tif 000015
【図１１】
0005634503.tif 000016
【図１２】
0005634503.tif 000017
【図１３】
0005634503.tif 000018
【図１４】
0005634503.tif 000019
【図１５】
0005634503.tif 000020
【図１６】
0005634503.tif 000021
【図１７】
0005634503.tif 000022
【図１８】
0005634503.tif 000023
【図１９】
0005634503.tif 000024
【図２０】
0005634503.tif 000025
【図２１】
0005634503.tif 000026
【図２２】
0005634503.tif 000027
【図２３】
0005634503.tif 000028
【図２４】
0005634503.tif 000029
【図２５】
0005634503.tif 000030
【図２６】
0005634503.tif 000031
【図２７】
0005634503.tif 000032
【図２８】
0005634503.tif 000033
【図２９】
0005634503.tif 000034
【図３０】
0005634503.tif 000035
【図３１】
0005634503.tif 000036
【図３２】
0005634503.tif 000037
【図３３】
0005634503.tif 000038
【図３４】
0005634503.tif 000039
【図３５】
0005634503.tif 000040
【図３６】
0005634503.tif 000041
【図３７】
0005634503.tif 000042
【図３８】
0005634503.tif 000043
【図３９】
0005634503.tif 000044